(57)【要約】【課題】本発明は液晶表示装置を提供する。【解決手段】本発明の液晶表示装置は複数のデータライン、前記データラインと交差される複数のゲートライン、マトリックス形態に配置された液晶セル、及び前記データラインと前記ゲートラインの交差部に形成されるＴＦＴを含む表示パネルと、前記データラインにカラムインバージョン形態に極性が反転されるデータ電圧を供給するソースドライブＩＣと、前記ゲートラインにゲートパルスを順次に供給するためのゲート駆動回路を備える。前記表示パネルの液晶セルに充電されるデータ電圧の極性はドットインバージョン形態に反転される。【選択図】図２
2011118398.tif 000002
【特許請求の範囲】
【請求項１】
複数のデータラインと前記データラインと交差される複数のゲートライン、マトリックス形態に配置された液晶セル、及び前記データラインと前記ゲートラインの交差部に形成されるＴＦＴを含む表示パネルと、
前記データラインにカラムインバージョン形態に極性が反転されるデータ電圧を供給するソースドライブＩＣと、
前記ゲートラインにゲートパルスを順次に供給するためのゲート駆動回路を備え、
前記表示パネルの液晶セルに充電されるデータ電圧の極性はドットインバージョン形態に反転され、
前記表示パネルの少なくとも一部は、
第ｍ(ｍは正の整数)奇数水平表示ラインで隣合うデータラインの間に存在する二つの液晶セルから対角線に離隔されるように第ｍ+１偶数水平表示ラインで隣合うデータラインの間に配置される二つの液晶セルを含み、
前記第ｍ奇数水平表示ラインに形成された二つの液晶セルと前記第ｍ+１偶数水平表示ラインに形成された二つの液晶セルは同一であるデータラインから供給される同一極性のデータ電圧を順次に充電することを特徴とする液晶表示装置。
【請求項２】
前記液晶セルの少なくとも一部は、
前記表示パネルの第ｍ奇数水平表示ラインそれぞれで第ｉ(ｉは正の整数) データラインと第ｉ＋１データラインの間に存在する第ｍ奇数水平表示ラインの第１及び第２液晶セルと、
前記第ｍ奇数水平表示ラインそれぞれで前記第ｉ＋１データラインと第ｉ＋２データラインの間に存在する第ｍ奇数水平表示ラインの第３及び第４液晶セルと、  
前記表示パネルの第ｍ+１偶数水平表示ラインそれぞれで前記第ｉデータラインと第ｉ＋１データラインの間に存在する前記第ｍ+１偶数水平表示ラインの第１及び第２液晶セルと、
前記第ｍ+１偶数水平表示ラインそれぞれで前記第ｉ＋１データラインと第ｉ＋２データラインの間に存在する前記第ｍ+１偶数水平表示ラインの第３及び第４液晶セルを含み、
前記第ｍ奇数水平表示ラインの第１及び第２液晶セルと、前記第ｍ+１偶数水平表示ラインの第３及び第４液晶セルは前記第ｉ＋１データラインから順次に供給される第１極性のデータ電圧を充電し、
前記第ｍ+１偶数水平表示ラインの第１及び第２液晶セルは前記第ｉデータラインから順次に供給される第２極性のデータ電圧を充電し、
前記第ｍ奇数水平表示ラインの第３及び第４液晶セルは前記第ｉ＋２データラインから順次に供給される第２極性のデータ電圧を充電することを特徴とする、請求項１記載の液晶表示装置。
【請求項３】
前記ゲート駆動回路は第ｊ(ｊは 正の整数)乃至第ｊ＋３ゲートラインに順次にゲートパルスを出力し、
前記ＴＦＴは、
第ｊ＋１ゲートラインからのゲートパルスに応答して前記第ｉ＋１データラインからのデータ電圧を前記奇数水平表示ラインの第１液晶セルに形成された第１画素電極に供給する奇数水平ラインの第１ＴＦＴと、
第ｊゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋２データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
第ｊ＋２ゲートラインからのゲートパルスに応答して前記第ｉデータラインからのデータ電圧を前記偶数水平表示ラインの第１液晶セルに形成された第１画素電極に供給する偶数水平ラインの第１ＴＦＴと、
第ｊ＋３ゲートラインからのゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋１データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする液晶表示装置。
【請求項４】
前記液晶セルの少なくとも一部は、
前記表示パネルの奇数水平表示ラインそれぞれで第ｉ(ｉは正の整数) データラインと第ｉ＋１データラインの間に存在する奇数水平表示ラインの第１及び第２液晶セルと、
前記奇数水平表示ラインそれぞれで前記第ｉ＋１データラインと第ｉ＋２データラインの間に存在する奇数水平表示ラインの第３及び第４液晶セルと、  
前記表示パネルの偶数水平表示ラインそれぞれで前記第ｉデータラインと第ｉ＋１データラインの間に存在する偶数水平表示ラインの第１及び第２液晶セルと、
前記偶数水平表示ラインそれぞれで前記第ｉ＋１データラインと第ｉ＋２データラインの間に存在する偶数水平表示ラインの第３及び第４液晶セルを含み、
前記奇数水平表示ラインの第１及び第２液晶セルは前記第ｉデータラインから順次に供給される第１極性のデータ電圧を充電し、
前記奇数水平表示ラインの第３及び第４液晶セルと、前記偶数水平表示ラインの第１及び第２液晶セルは前記第ｉ＋１データラインから順次に供給される第２極性のデータ電圧を充電し、
前記偶数水平表示ラインの第３及び第４液晶セルは前記第ｉ＋２データラインから順次に供給される第１極性のデータ電圧を充電することを特徴とする、請求項１記載の液晶表示装置。
【請求項５】
前記ゲート駆動回路は第ｊ(ｊは正の整数)乃至第ｊ＋３ゲートラインに順次にゲートパルスを出力し、
前記ＴＦＴは、
第ｊ＋１ゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊゲートラインからのゲートパルスに応答して前記第ｉデータラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋１データラインからのデータ電圧を前記奇数水平表示ラインの第４液晶セルに形成された第４画素電極に供給する奇数水平ラインの第４ＴＦＴと、
第ｊ＋２ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋３ゲートラインからのゲートパルスに応答して前記第ｉ＋１データラインからのデータ電圧を前記偶数水平表示ラインの前記第２液晶セルに形成された第２画素電極に供給する偶数水平ラインの第２ＴＦＴと、
前記ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋２データラインからのデータ電圧を前記偶数水平表示ラインの第４液晶セルに形成された第４画素電極に供給する偶数水平ラインの第４ＴＦＴを備えることを特徴とする、請求項４記載の液晶表示装置。
【請求項６】
前記ゲート駆動回路は第ｊ(ｊは正の整数)乃至第ｊ＋３ゲートラインに順次にゲートパルスを出力し、
前記ＴＦＴは、
第ｊゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊ＋１ゲートラインからのゲートパルスに応答して前記第ｉデータラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋１データラインからのデータ電圧を前記奇数水平表示ラインの第４液晶セルに形成された第４画素電極に供給する奇数水平ラインの第４ＴＦＴと、
第ｊ＋３ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉ＋１データラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋２データラインからのデータ電圧を前記偶数水平表示ラインの第４液晶セルに形成された第４画素電極に供給する偶数水平ラインの第４ＴＦＴを備えることを特徴とする、請求項４記載の液晶表示装置。
【請求項７】
前記液晶セルの少なくとも一部は、
前記奇数水平表示ラインそれぞれで前記第ｉ＋２データラインと第ｉ＋３データラインの間に存在する奇数水平表示ラインの第５及び第６液晶セルと、
前記偶数水平表示ラインそれぞれで前記第ｉ＋２データラインと第ｉ＋３データラインの間に存在する偶数水平表示ラインの第５及び第６液晶セルをさらに含み、
前記奇数水平表示ラインの第５及び第６液晶セルは前記第ｉ＋２データラインから順次に供給される第１極性のデータ電圧を充電し、
前記偶数水平表示ラインの第５及び第６液晶セルは前記第ｉ＋３データラインから順次に供給される第２極性のデータ電圧を充電することを特徴とする、請求項４記載の液晶表示装置。
【請求項８】
前記ゲート駆動回路は第ｊ(ｊは正の整数)乃至第ｊ＋３ゲートラインに順次にゲートパルスを出力し、
前記ＴＦＴは、
第ｊ＋１ゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊゲートラインからの第１ゲートパルスに応答して前記第ｉデータラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋１データラインからのデータ電圧を前記奇数水平表示ラインの第４液晶セルに形成された第４画素電極に供給する奇数水平ラインの第４ＴＦＴと、
前記第ｊゲートラインからのゲートパルスに応答して前記第ｉ＋２データラインからのデータ電圧を前記奇数水平表示ラインの第５液晶セルに形成された第５画素電極に供給する奇数水平ラインの第５ＴＦＴと、
前記第ｊ＋１ゲートラインからのゲートパルスに応答して前記第ｉ＋２データラインからのデータ電圧を前記奇数水平表示ラインの第６液晶セルに形成された第６画素電極に供給する奇数水平ラインの第６ＴＦＴと、
前記第ｊ＋２ゲートラインからのゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋３ゲートラインからのゲートパルスに応答して前記第ｉ＋１データラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋２データラインからのデータ電圧を前記偶数水平表示ラインの第４液晶セルに形成された第４画素電極に供給する偶数水平ラインの第４ＴＦＴと、
前記第ｊ＋３ゲートラインからのゲートパルスに応答して前記第ｉ＋３データラインからのデータ電圧を前記偶数水平表示ラインの第５液晶セルに形成された第５画素電極に供給する偶数水平ラインの第５ＴＦＴと、
前記第ｊ＋２ゲートラインからのゲートパルスに応答して前記第ｉ＋３データラインからのデータ電圧を前記偶数水平表示ラインの第６液晶セルに形成された第６画素電極に供給する偶数水平ラインの第６ＴＦＴを備えることを特徴とする、請求項７記載の液晶表示装置。
【請求項９】
前記液晶セルの少なくとも一部は、
前記表示パネルの奇数水平表示ラインそれぞれで第ｉ(ｉは正の整数) データラインと第ｉ＋１データラインの間に存在する奇数水平表示ラインの第１及び第２液晶セルと、
前記奇数水平表示ラインそれぞれで前記第ｉ＋１データラインと第ｉ＋２データラインの間に存在する奇数水平表示ラインの第３及び第４液晶セルと、  
前記表示パネルの偶数水平表示ラインそれぞれで前記第ｉデータラインと第ｉ＋１データラインの間に存在する偶数水平表示ラインの第１及び第２液晶セルと、
前記偶数水平表示ラインそれぞれで前記第ｉ＋１データラインと第ｉ＋２データラインの間に存在する偶数水平表示ラインの第３及び第４液晶セルを含み、
前記奇数水平表示ラインの第１液晶セルは前記第ｉデータラインから供給される第１極性のデータ電圧を充電し、前記奇数水平表示ラインの第２液晶セルは前記第ｉ＋１データラインから供給される第２極性のデータ電圧を充電し、  
前記偶数水平表示ラインの第１液晶セルは前記第ｉ＋１データラインから供給される第２極性のデータ電圧を充電し、前記偶数水平表示ラインの第２液晶セルは前記第ｉデータラインから供給される第１極性のデータ電圧を充電し、  
前記奇数水平表示ラインの第３液晶セルは前記第ｉ＋１データラインから供給される第２極性のデータ電圧を充電し、前記奇数水平表示ラインの第４液晶セルは前記第ｉ＋２データラインから供給される第１極性のデータ電圧を充電し、
前記偶数水平表示ラインの第３液晶セルは前記第ｉ＋２データラインから供給される第１極性のデータ電圧を充電し、前記偶数水平表示ラインの第４液晶セルは前記第ｉ＋１データラインから供給される第２極性のデータ電圧を充電することを特徴とする、請求項１記載の液晶表示装置。
【請求項１０】
前記ゲート駆動回路は第ｊ(ｊは正の整数)乃至第ｊ＋３ゲートラインに順次にゲートパルスを出力し、
前記ＴＦＴは、
第ｊ＋１ゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
第ｊ＋２ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋３ゲートラインからのゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする、請求項９記載の液晶表示装置。
【請求項１１】
前記ゲート駆動回路は第ｊ(ｊは正の整数)乃至第ｊ＋３ゲートラインに順次にゲートパルスを出力し、
前記 ＴＦＴは、
第ｊゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊ＋１ゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊ＋１ゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
前記第ｊ＋３ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋３ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする、請求項９記載の液晶表示装置。
【請求項１２】
前記ゲート駆動回路は第ｊ(ｊは正の整数)乃至第ｊ＋３ゲートラインに順次にゲートパルスを出力し、
前記 ＴＦＴは、
第ｊゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
前記第ｊゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊ＋１ゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
第ｊ＋３ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋３ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋２ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする、請求項９記載の液晶表示装置。
【請求項１３】
前記液晶セルの少なくとも一部は、
前記奇数水平表示ラインそれぞれで前記第ｉ＋２データラインと第ｉ＋３データラインの間に存在する奇数水平表示ラインの第５及び第６液晶セルと、
前記偶数水平表示ラインそれぞれで前記第ｉ＋２データラインと第ｉ＋３データラインの間に存在する偶数水平表示ラインの第５及び第６液晶セルをさらに含み、
前記奇数水平表示ラインの第５液晶セルは前記第ｉ＋３データラインから供給される第２極性のデータ電圧を充電し、前記奇数水平表示ラインの第６液晶セルは前記第ｉ＋２データラインから供給される第１極性のデータ電圧を充電し、
前記偶数水平表示ラインの第５液晶セルは前記第ｉ＋２データラインから供給される第１極性のデータ電圧を充電し、前記偶数水平表示ラインの第６液晶セルは前記第ｉ＋３データラインから供給される第２極性のデータ電圧を充電することを特徴とする、請求項９記載の液晶表示装置。
【請求項１４】
前記ゲート駆動回路は第ｊ(ｊは正の整数)乃至第ｊ＋３ゲートラインに順次にゲートパルスを出力し、
前記ＴＦＴは、
第ｊ＋１ゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第ｊゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
前記第ｊゲートラインからのゲートパルスに応答して前記第ｉ＋３データラインからのデータ電圧を前記奇数水平表示ラインの第５液晶セルに形成された第５画素電極に供給する奇数水平ラインの第５ＴＦＴと、
前記第ｊ＋１ゲートラインからのゲートパルスに応答して前記第ｉ＋２データラインからのデータ電圧を前記奇数水平表示ラインの第６液晶セルに形成された第６画素電極に供給する奇数水平ラインの第６ＴＦＴと、
第ｊ＋２ゲートラインからの第３ゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋３ゲートラインからの第４ゲートラインからの第４ゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴと、
前記第ｊ＋３ゲートラインからのゲートパルスに応答して前記第ｉ＋２データラインからのデータ電圧を前記偶数水平表示ラインの第５液晶セルに形成された第５画素電極に供給する偶数水平ラインの第５ＴＦＴと、
前記第ｊ＋２ゲートラインからのゲートパルスに応答して前記第ｉ＋３データラインからのデータ電圧を前記偶数水平表示ラインの第６液晶セルに形成された第６画素電極に供給する偶数水平ラインの第６ＴＦＴを備えることを特徴とする、請求項１３記載の液晶表示装置。
【請求項１５】
前記ゲート駆動回路は第ｊ(ｊは正の整数)乃至第ｊ＋３ゲートラインに順次にゲートパルスを出力し、
前記ＴＦＴは、
第ｊゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
前記第ｊ＋１ゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊゲートラインからのゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊ＋１ゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
前記第ｊ＋１ゲートラインからのゲートパルスに応答して前記第ｉ＋３データラインからのデータ電圧を前記奇数水平表示ラインの第５液晶セルに形成された第５画素電極に供給する奇数水平ラインの第５ＴＦＴと、
前記第ｊゲートラインからのゲートパルスに応答して前記第ｉ＋２データラインからのデータ電圧を前記奇数水平表示ラインの第６液晶セルに形成された第６画素電極に供給する奇数水平ラインの第６ＴＦＴと、
前記第ｊ＋３ゲートラインからのゲートパルスに応答して前記第ｉ＋１データラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉデータラインからのデータ電圧を前記偶数水平表示ラインの前記第２液晶セルに形成された第２画素電極に供給する偶数水平ラインの第２ＴＦＴと、
前記第ｊ＋３ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋２ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴと、
前記第ｊ＋２ゲートラインからのゲートパルスに応答して前記第ｉ＋２データラインからのデータ電圧を前記偶数水平表示ラインの第５液晶セルに形成された第５画素電極に供給する偶数水平ラインの第５ＴＦＴと、
前記第ｊ＋３ゲートラインからのゲートパルスに応答して前記第ｉ＋３データラインからのデータ電圧を前記偶数水平表示ラインの第６液晶セルに形成された第６画素電極に供給する偶数水平ラインの第６ＴＦＴを備えることを特徴とする、請求項１３記載の液晶表示装置。
【請求項１６】
前記液晶セルの少なくとも一部は、
前記表示パネルの奇数水平表示ラインそれぞれで第ｉ(ｉは正の整数) データラインと第ｉ＋１データラインの間に存在する奇数水平表示ラインの第１及び第２液晶セルと、
前記奇数水平表示ラインそれぞれで前記第ｉ＋１データラインと第ｉ＋２データラインの間に存在する奇数水平表示ラインの第３及び第４液晶セルと、
前記表示パネルの偶数水平表示ラインそれぞれで前記第ｉデータラインと第ｉ＋１データラインの間に存在する偶数水平表示ラインの第１及び第２液晶セルと、
前記偶数水平表示ラインそれぞれで前記第ｉ＋１データラインと第ｉ＋２データラインの間に存在する偶数水平表示ラインの第３及び第４液晶セルを含み、
前記奇数水平表示ラインの第１液晶セルは前記第ｉ＋１データラインから供給される第１極性のデータ電圧を充電し、前記奇数水平表示ラインの第２液晶セルは前記第ｉデータラインから供給される第２極性のデータ電圧を充電し、  
前記偶数水平表示ラインの第１液晶セルは前記第ｉデータラインから供給される第２極性のデータ電圧を充電し、前記偶数水平表示ラインの第２液晶セルは前記第ｉ＋１データラインから供給される第１極性のデータ電圧を充電し、
前記奇数水平表示ラインの第３液晶セルは前記第ｉ＋１データラインから供給される第１極性のデータ電圧を充電し、前記奇数水平表示ラインの第４液晶セルは前記第ｉ＋２データラインから供給される第２極性のデータ電圧を充電し、
前記偶数水平表示ラインの第３液晶セルは前記第ｉ＋２データラインから供給される第２極性のデータ電圧を充電し、前記偶数水平表示ラインの第４液晶セルは前記第ｉ＋１データラインから供給される第１極性のデータ電圧を充電することを特徴とする、請求項１記載の液晶表示装置。
【請求項１７】
前記ゲート駆動回路は第ｊ(ｊは正の整数)乃至第ｊ＋３ゲートラインに順次にゲート
パルスを出力し、
前記ＴＦＴは、
第ｊゲートラインからのゲートパルスに応答して前記第ｉ＋１データラインからのデータ電圧を前記奇数水平表示ラインの第１液晶セルに形成された第１画素電極に供給する奇数水平ラインの第１ＴＦＴと、
前記第ｊ＋１ゲートラインからの、第２ゲートパルスに応答して前記第ｉデータラインからのデータ電圧を前記奇数水平表示ラインの第２液晶セルに形成された第２画素電極に供給する奇数水平ラインの第２ＴＦＴと、
前記第ｊ＋１ゲートラインからの、ゲートパルスに応答して前記第ｉ＋１データラインからのデータ電圧を前記奇数水平表示ラインの第３液晶セルに形成された第３画素電極に供給する奇数水平ラインの第３ＴＦＴと、
前記第ｊゲートラインからのゲートパルスに応答して前記第ｉ＋２データラインからのデータ電圧を前記奇数水平表示ラインの第４液晶セルに形成された第４画素電極に供給する奇数水平ラインの第４ＴＦＴと、
第ｊ＋３ゲートラインからのゲートパルスに応答して前記第ｉデータラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉ＋１データラインからのデータ電圧を前記偶数水平表示ラインの前記第２液晶セルに形成された第２画素電極に供給する偶数水平ラインの第２ＴＦＴと、
前記第ｊ＋２ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋３ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする、請求項１６記載の液晶表示装置。
【請求項１８】
前記液晶セルの少なくとも一部は、
前記表示パネルの奇数水平表示ラインそれぞれで第ｉ(ｉは正の整数) データラインと第ｉ＋１データラインの間に存在する奇数水平表示ラインの第１及び第２液晶セルと、
前記奇数水平表示ラインそれぞれで前記第ｉ＋１データラインと第ｉ＋２データラインの間に存在する奇数水平表示ラインの第３及び第４液晶セルと、
前記表示パネルの偶数水平表示ラインそれぞれで前記第ｉデータラインと第ｉ＋１データラインの間に存在する偶数水平表示ラインの第１及び第２液晶セと、
前記偶数水平表示ラインそれぞれで前記第ｉ＋１データラインと第ｉ＋２データラインの間に存在する偶数水平表示ラインの第３及び第４液晶セルを含み、
前記奇数水平表示ラインの第１液晶セルは前記第ｉデータラインから供給される第１極性のデータ電圧を充電し、前記奇数水平表示ラインの第２液晶セルは前記第ｉ＋１データラインから供給される第２極性のデータ電圧を充電し、
前記偶数水平表示ラインの第１液晶セルは前記第ｉデータラインから供給される第１極性のデータ電圧を充電し、前記偶数水平表示ラインの第２液晶セルは前記第ｉ＋１データラインから供給される第２極性のデータ電圧を充電し、
前記奇数水平表示ラインの第３液晶セルは前記第ｉ＋２データラインから供給される第１極性のデータ電圧を充電し、前記奇数水平表示ラインの第４液晶セルは前記第ｉ＋１データラインから供給される第２極性のデータ電圧を充電し、
前記偶数水平表示ラインの第３液晶セルは前記第ｉ＋２データラインから供給される第１極性のデータ電圧を充電し、前記偶数水平表示ラインの第４液晶セルは前記第ｉ＋１データラインから供給される第２極性のデータ電圧を充電することを特徴とする、請求項１記載の液晶表示装置。
【請求項１９】
前記ゲート駆動回路は第ｊ(ｊは正の整数)乃至第ｊ＋３ゲートラインに順次にゲートパルスを出力し、
前記ＴＦＴは、
第ｊ＋１ゲートラインからのゲートパルスに応答して前記第ｉデータラインからのデータ電圧を前記奇数水平表示ラインの第１液晶セルに形成された第１画素電極に供給する奇数水平ラインの第１ＴＦＴと、
第１ゲートラインからのゲートパルスに応答して前記第ｉ＋１データラインからのデータ電圧を前記奇数水平表示ラインの第２液晶セルに形成された第２画素電極に供給する奇数水平ラインの第２ＴＦＴと、
前記第ｊ＋１ゲートラインからのゲートパルスに応答して前記第ｉ＋２データラインからのデータ電圧を前記奇数水平表示ラインの第３液晶セルに形成された第３画素電極に供給する奇数水平ラインの第３ＴＦＴと、
前記第ｊゲートゲートラインからゲートパルスに応答して前記第ｉ＋１データラインからのデータ電圧を前記奇数水平表示ラインの第４液晶セルに形成された第４画素電極に供給する奇数水平ラインの第４ＴＦＴと、
第ｊ＋３ゲートラインからのゲートパルスに応答して前記第ｉデータラインからのデータ電圧を前記偶数水平表示ラインの第１液晶セルに形成された第１画素電極に供給する偶数水平ラインの第１ＴＦＴと、
第ｊ＋２ゲートラインからのゲートパルスに応答して前記第ｉ＋１データラインからのデータ電圧を前記偶数水平表示ラインの前記第２液晶セルに形成された第２画素電極に供給する偶数水平ラインの第２ＴＦＴと、
前記第ｊ＋３ゲートラインからのゲートパルスに応答して前記第ｉ＋２データラインからのデータ電圧を前記偶数水平表示ラインの第３液晶セルに形成された第３画素電極に供給する偶数水平ラインの第３ＴＦＴと、
前記第ｊ＋２ゲートラインからのゲートパルスに応答して前記第ｉ＋１データラインからのデータ電圧を前記偶数水平表示ラインの第４液晶セルに形成された第４画素電極に供給する偶数水平ラインの第４ＴＦＴを備えることを特徴とする、請求項１８記載の液晶表示装置。
【発明の詳細な説明】
【技術分野】
【０００１】
本発明はカラムインバージョンに極性が反転されるデータ電圧を出力するソースドライブ集積回路を利用して液晶表示パネルをドットインバージョンに駆動する液晶表示装置に関する。
【背景技術】
【０００２】
アクティブマトリックス駆動方式の液晶表示装置はスイッチング素子として薄膜トランジスタ-(以下“ＴＦＴ”とする)を利用して動画を表示している。液晶表示装置は陰極選管(ＣＲＴ)に比べて小型化が可能でポータブル情報器機、事務機器、コンピューターなどで標示器に応用されることは勿論、テレビにも応用されて陰極選管を速く取り替えている。
【０００３】
液晶表示装置は液晶表示パネル、液晶表示パネルに光を照射するバックライトユニット、液晶表示パネルのデータラインにデータ電圧を供給するためのソースドライブ集積回路(ＩＣ)、液晶表示パネルのゲートライン(またはスキャンライン)にゲートパルス(またはスキャンパルス)を供給するためのゲートドライブＩＣ、及び前記ＩＣを制御する制御回路、バックライトユニットの光源を駆動するための光源駆動回路などを備える。
【０００４】
液晶表示装置の工程技術と駆動技術の飛躍的な発展に負って、液晶表示装置の製造費用は低くなり、画質が大きく向上している。低消費電力と低費用を情報端末機の要求に合うように、液晶表示装置の消費電力、画質、及び製造費用をさらに改善する必要がある。
【発明の概要】
【発明が解決しようとする課題】
【０００５】
本発明の目的は、既存のインバージョン方法で招来されるデータ充電量のばらつきによって招来される輝度ばらつき、色歪曲などの画質低下を防止することができる 液晶表示装置を提供することにある。
【課題を解決するための手段】
【０００６】
前記課題を解決するために、本発明の液晶表示装置は複数のデータライン、前記データラインと交差される複数のゲートライン、マトリックス形態に配置された液晶セル、及び前記データラインと前記ゲートラインの交差部に形成されるＴＦＴを含む液晶表示パネルと、前記データラインにカラムインバージョン形態に極性が反転されるデータ電圧を供給するソースドライブＩＣと、前記ゲートラインにゲートパルスを順次に供給するためのゲート駆動回路を備える。
【０００７】
前記液晶表示パネルの液晶セルに充電されるデータ電圧の極性はドットインバージョン形態に反転される。
【０００８】
前記液晶表示パネルの少なくとも一部は第ｍ (ｍは正の整数)水平表示ラインで隣合うデータラインの間に存在する二つの液晶セルから対角線で離隔されるように第ｍ＋１水平表示ラインで隣合うデータラインの間に配置される二つの液晶セルを含む。
【０００９】
前記第ｍ水平表示ラインに形成された二つの液晶セルと前記第ｍ＋1水平表示ラインに形成された二つの液晶セルは同一であるデータラインから供給される同一極性のデータ電圧を順次に充電する。
【発明の効果】
【００１０】
前述のように、本発明は一つのデータラインに接続された液晶セルに充電されるデータ電圧の極性を同一に制御し液晶セルのデータ充電量を均一にできてソースドライブＩＣの消費電力を減らすことができる。したがって、本発明は既存のインバージョン方法で招来されるデータ充電量のばらつきによって招来される輝度ばらつき、色歪曲などの画質低下を防止することができるし、データ電圧の極性反転回数を減らしソースドライブＩＣの消費電力を減らすことができる。また、本発明は左右に隣接する液晶セルが一つのデータラインを共有するＴＦＴ接続関係を利用してデータラインの個数とソースドライブＩＣのチャンネル数を減らすことができる。
【図面の簡単な説明】
【００１１】
【図１】本発明の実施の形態に係る液晶表示装置を示すブロック図である。
【図２】図１に示された画素アレイの第１実施の形態を詳しく示す回路図である。
【図３】第１データラインと第ｍ+1データラインの接続例を示す図である。
【図４】図３のような液晶表示装置でデータラインに供給されるデータ電圧の波形を示す波形図である。
【図５】第ｍ+1データラインがソースドライブＩＣの出力チャンネルに接続された例を示す図である。
【図６】図５のような液晶表示装置でデータラインに供給されるデータ電圧の波形を示す波形図である。
【図７】図１に示された画素アレイの第２実施の形態を詳しく示す回路図である。
【図８】図１に示された画素アレイの第３実施の形態を詳しく示す回路図である。
【図９】図１に示された画素アレイの第４実施の形態を詳しく示す回路図である。
【図１０】図１に示された画素アレイの第５実施の形態を詳しく示す回路図である。
【図１１】図１に示された画素アレイの第６実施の形態を詳しく示す回路図である。
【図１２】図１に示された画素アレイの第７実施の形態を詳しく示す回路図である。
【図１３】図１に示された画素アレイの第８実施の形態を詳しく示す回路図である。
【図１４】図１に示された画素アレイの第９実施の形態を詳しく示す回路図である。
【図１５】図１に示された画素アレイの第１０実施の形態を詳しく示す回路図である。ある。
【図１６】図１に示された画素アレイの第１１実施の形態を詳しく示す回路図である。
【発明を実施するための形態】
【００１２】
以下添付された図面を参照し本発明に係る望ましい実施の形態を詳しく説明する。明細書全体にかけて同一である参照番号は実質的に同一である構成要素を意味する。以下の説明で、本発明と係わる公知機能あるいは構成に対する具体的な説明が本発明の要旨を不必要に不明確にすると判断される場合、その詳細な説明を省略する。
【００１３】
以下の説明で使われる構成要素名称は明細書作成の容易さを考慮し選択されたものであり、実際製品の部品名称とは相異することがある。
【００１４】
図１を参照すれば、本発明の実施の形態に係る液晶表示装置は画素アレイ１０が形成された液晶表示パネル、ソースドライブＩＣ１２、ゲート駆動回路１３及びタイミングコントローラ１１を備える。液晶表示パネルの下には液晶表示パネルに光を均一に照射するためのバックライトユニットが配置されることができる。
【００１５】
液晶表示パネルは液晶層を間に置いて対向する上部ガラス基板と下部ガラス基板を含む。液晶表示パネルには画素アレイ１０が形成される。画素アレイ１０はデータラインとゲートラインの交差構造によってマトリックス形態に配列される液晶セルを含みビデオデータを表示する。画素アレイ１０の下部ガラス基板にはデータライン、ゲートライン、ＴＦＴ、ＴＦＴに接続された液晶セルの画素電極、及び液晶セルの画素電極に接続されたストレージ キャパシター(Ｃｓｔ) などを含む。画素アレイ１０の液晶セルそれぞれはＴＦＴを通じてデータ電圧を充電する画素電極と共通電圧が印加される共通電極の電圧差によって駆動されて光の透過量を調整することでビデオデータの画像を表示する。画素アレイ１０の具体的な構造に対しては以下の図面を参照して詳しく説明する。
【００１６】
液晶表示パネルの上部ガラス基板上にはブラックマットリックス、カラーフィルター及び共通電極が形成される。共通電極はＴＮ(ツイストネマティック) モードとＶＡ(垂直アラインメント) モードのような垂直電界駆動方式の場合に上部ガラス基板上に形成され、ＩＰＳ(Ｉn-Plane Swｉtchｉng水平配列型) モードと ＦＦＳ(Frｉnge Fｉeld Swｉtchｉng) モードのような水平電界駆動方式の場合に画素電極とともに下部ガラス基板上に形成される。
【００１７】
液晶表示パネルの上部ガラス基板と下部ガラス基板それぞれには偏光版が附着し液晶のプレチルト角を設定するための配向膜が形成される。
【００１８】
本発明の液晶表示装置はＴＮモード、ＶＡモード、ＩＰＳモード、ＦＦＳモードだけではなくいずれの液晶モードでも具現されることができる。本発明の液晶表示装置は透過型液晶表示装置、半透過型液晶表示装置、反射型液晶表示装置などいずれの形態でも具現されることができる。透過型液晶表装置と半透過型液晶表示装置ではバックライトユニットが必要である。バックライトユニットは直下型バックライトユニットまたは、エッジ型 バックライトユニットに具現されることができる。
【００１９】
ソースドライブＩＣ１２はＴＣＰ(Tape Carrｉer Package、１５) 上に実装されＴＡＢ(Tape AutoＭated Bondｉng) 工程によって液晶表示パネルの下部ガラス基板に接合され、ソース ＰＣＢ(Prｉnted Cｉrcuｉt Board)１４に接続される。ソースドライブＩＣ１２はＣＯＧ(Chｉp On Glass) 工程によって液晶表示パネルの下部ガラス基板上に接着されることもできる。ソースドライブＩＣ１２それぞれのデータ出力チャンネルは画素アレイ１０のデータラインに １：１に接続される。ソースドライブＩＣ１２の出力チャンネルの総個数はデータラインの総個数の大体１／２である。
【００２０】
ソースドライブＩＣ１２それぞれはタイミングコントローラ１１からデジタルビデオデータを入力受ける。ソースドライブＩＣ１２はタイミングコントローラ１１からのソースタイミング制御信号に応答してデジタルビデオデータを正極性/負極性データ電圧で変換し出力チャンネルを通じて画素アレイ１０のデータラインに供給する。ソースドライブＩＣ１２はタイミングコントローラ１１の制御の下に隣合うデータラインに互いに相反した極性のデータ電圧を供給し、それぞれのデータラインに供給されるデータ電圧の極性を１フレーム期間の間同一に維持する。したがって、ソースドライブＩＣ１２は図４及び図６のように極性がカラムインバージョン形態に反転されるデータ電圧を出力する。
【００２１】
ゲート駆動回路１３はタイミングコントローラ１１からのゲートタイミング制御信号に応答して画素アレイのゲートラインにゲートパルス(またはスキャンパルス)を順次に供給する。ゲート駆動回路１３はＴＣＰ上に実装されＴＡＢ工程によって液晶表示パネルの下部ガラス基板に接合されるとか、ＧＩＰ(Gate Ｉn Panel) 工程によって画素アレイ１０と同時に下部ガラス基板上に直接形成されることができる。ゲート駆動回路１３は図２のように画素アレイ１０の両側に配置されるとか画素アレイ１０の一側に配置されることができる。
【００２２】
タイミングコントローラ１１は外部のシステムボードから入力されるデジタルビデオデータをソースドライブＩＣ１２に供給する。そしてタイミングコントローラ１１はソースドライブＩＣ１２の動作タイミングを制御するためのソースタイミング制御信号とゲート駆動回路１３の動作タイミングを制御するためのゲートタイミング制御信号を発生する。タイミングコントローラ１１はコントロールＰＣＢ１６上に実装される。コントロールＰＣＢ１６とソースＰＣＢ１４はＦＦＣ(flexｉble flat cable)やＦＰＣ(flexｉble prｉnted cｉrcuｉt)のような軟性回路基板１７を通じて接続される。
【００２３】
図２は画素アレイ１０の第１実施の形態を示す回路図である。
【００２４】
図２を参照すれば、画素アレイ１０はｍ（ｍは正の整数）＋１個のデータライン（Ｄ１〜Ｄｍ＋１）、データライン（Ｄ１〜Ｄｍ＋１）と交差されるゲートライン（Ｇ１〜Ｇ２ｎ）（ｎは正の整数）、及びゲートパルスに応答して液晶セルの画素電極（ＰＩＸ１１〜ＰＩＸ１４、ＰＩＸ２１〜ＰＩＸ２４）とデータライン（Ｄ１〜Ｄｍ＋１）の間の電流パスをスイッチングするための ＴＦＴ（Ｔ１１〜Ｔ１４、Ｔ２１〜Ｔ２４）を備える。この画素アレイの１水平表示ラインに配置された液晶セルの個数は２ｍ個である。
【００２５】
カラムインバージョン方式で極性が反転されるデータ電圧と、図２の画素アレイ構造によって液晶セルに充電されるデータ電圧はその極性が水平２ドット及び垂直１ドットインバージョンに反転される。図２で矢印は液晶セルのデータ電圧充電手順を示す。
【００２６】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２ないし第２ｎゲートパルスが供給される。
【００２７】
第Ｎ（Ｎは正の整数）フレーム期間の間、ソースドライブＩＣ１２は奇数データライン（Ｄ１、Ｄ３．．．Ｄｍ−１、Ｄｍ＋１）に負極性データ電圧のみを供給し、偶数データライン（Ｄ２、Ｄ４．．．Ｄｍ）に正極性データ電圧のみを供給する。第Ｎ＋１フレーム期間の間、ソースドライブＩＣ１２は奇数データライン（Ｄ１、Ｄ３．．．Ｄｍ−１、Ｄｍ＋１）に正極性データ電圧のみを供給し、偶数データライン（Ｄ２、Ｄ４．．． Ｄｍ）に負極性データ電圧のみを供給する。
【００２８】
奇数水平表示ライン（ＬＩＮＥ＃１、ＬＩＮＥ＃３、．．．ＬＩＮＥ＃ｎ−１）それぞれで第ｉ（ｉはｍ以下の正の整数) データラインと第ｉ＋１データラインの間に存在する奇数水平表示ラインの第１及び第２液晶セルは第Ｎフレーム期間の間第ｉ＋１データラインから供給される正極性データ電圧を充電した後、第Ｎ＋１フレーム期間の間第ｉ＋１データラインから供給される負極性データ電圧を充電する。図２で図面符号’ＰＩＸ１１’は奇数水平表示ラインの第１液晶セルに形成された第１画素電極であり、’ＰＩＸ１２’は奇数水平表示ラインの第２液晶セルに形成された第２画素電極である。また偶数水平表示ライン（ＬＩＮＥ＃２、ＬＩＮＥ＃４、．．．ＬＩＮＥ＃ｎ）それぞれで第ｉ＋１データラインと第ｉ＋２データラインの間に存在する偶数水平ラインの第３及び第４液晶セルは第Ｎフレーム期間の間第ｉ＋１データラインから供給される正極性データ電圧を充電した後、第Ｎ＋１フレーム期間の間第ｉ＋１データラインから供給される負極性データ電圧を充電する。図２で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。したがって、奇数水平表示ラインの第１及び第２液晶セルと、偶数水平ラインの第３及び第４液晶セルは第ｉ＋１データラインから供給される同一である極性のデータ電圧を充電する。
【００２９】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間に存在する奇数水平表示ラインの第３及び第４液晶セルは第Ｎフレーム期間の間第ｉ＋２データラインから供給される負極性データ電圧を充電した後、第Ｎ＋１フレーム期間の間第ｉ＋２データラインから供給される正極性データ電圧を充電する。図２で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。また、偶数水平表示ライン（ＬＩＮＥ＃２、ＬＩＮＥ＃４、．．．ＬＩＮＥ＃ｎ）それぞれで第ｉ＋２データラインと第ｉ＋３データラインの間に存在する偶数水平ラインの第５及び第６液晶セルは第Ｎフレーム期間の間第ｉ＋２データラインから供給される負極性データ電圧を充電した後、第Ｎ＋１フレーム期間の間第ｉ＋２データラインから供給される正極性データ電圧を充電する。図２で偶数水平表示ラインの第５及び第６液晶セルは省略されたし、その構造は偶数水平ラインの第１及び第２液晶セルと実質的に同一である。したがって、奇数水平表示ラインの第３及び第４液晶セルと、偶数水平ラインの第５及び第６液晶セルは第ｉ＋２データラインから供給される同一である極性のデータ電圧を充電する。一方、偶数水平表示ラインの第１及び第２液晶セルは第１ データラインから供給される同一である極性のデータ電圧を充電する。
【００３０】
図２に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【００３１】
第１水平表示ライン（ＬＩＮＥ＃１）で第１データライン（Ｄ１）と第２データライン（Ｄ２）の間に存在する第１及び第２液晶セルは第２データライン（Ｄ２）から順次に供給されるデータ電圧を充電する。第１水平表示ラインの第１ＴＦＴ（Ｔ１１）は第２ゲートライン（Ｇ２）からの第２ゲートパルスに応答して第２データライン（Ｄ２）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。第１ＴＦＴ（Ｔ１１）のドレーン電極は第２データライン（Ｄ２）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答し第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第２データライン（Ｄ２）に接続され、そのソース電極は第２画素電極（ＰＩＸ１２）に接続される。
【００３２】
第１水平表示ライン（ＬＩＮＥ＃１）で第２データライン（Ｄ２）と第３データライン（Ｄ３）の間に存在する第３及び第４液晶セルは第３データライン（Ｄ３）から順次に供給されるデータ電圧を充電する。第１水平表示ラインの第３ＴＦＴ（Ｔ１３）は第２ゲートライン（Ｇ２）からの第２ゲートパルスに応答して第３データライン（Ｄ３）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第３データライン（Ｄ３）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続れる。第４ＴＦＴ（Ｔ１４）のドレーン電極は第３データライン（Ｄ３）に接続され、そのソース電極は第４画素電極（ＰＩＸ１４）に接続される。
【００３３】
第２水平表示ライン（ＬＩＮＥ＃２）で第１データライン（Ｄ１）と第２データライン（Ｄ２）の間に存在する第１及び第２液晶セルは第１データライン（Ｄ１）から順次に供給されるデータ電圧を充電する。第２水平表示ラインの第１ＴＦＴ（Ｔ２１）は第３ゲートライン（Ｇ３）からの第３ゲートパルスに応答し第１データライン（Ｄ１）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第３ゲートライン（Ｇ３）に接続される。第１ＴＦＴ（Ｔ２１）のドレーン電極は第１データライン（Ｄ１）に接続され、そのソース電極は第１画素電極（ＰＩＸ２１）に接続される。第２水平表示ラインの第２ＴＦＴ（Ｔ２２）は第４ゲートライン（Ｇ４）からの第４ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第４ゲートライン（Ｇ４）に接続される。第２ＴＦＴ（Ｔ２２）のドレーン電極は第１データライン（Ｄ１）に接続されて、そのソース電極は第２画素電極（ＰＩＸ２２）に接続される。
【００３４】
第２水平表示ライン（ＬＩＮＥ＃２）で第２データライン（Ｄ２）と第３データライン（Ｄ３）の間に存在する第３及び第４液晶セルは第２データライン（Ｄ２）から順次に供給されるデータ電圧を充電する。第２水平表示ライン（ＬＩＮＥ＃２）の第３及び第４液晶セルは対角線方向に沿って第１水平表示ライン（ＬＩＮＥ＃１）の第１及び第２液晶セルから離隔され、第１水平表示ライン（ＬＩＮＥ＃１）の第１及び第２液晶セルとともに第２データライン（Ｄ２）を共有する。したがって、第１水平表示ライン（ＬＩＮＥ＃１）の第１及び第２液晶セルと、第２水平表示ライン（ＬＩＮＥ＃２）の第３及び第４液晶セルは第２データライン（Ｄ２）を通じて連続に供給される同一極性のデータ電圧を順次に充電する。
【００３５】
第２水平表示ラインの第３ＴＦＴ（Ｔ２３）は第３ゲートライン（Ｇ３）からの第３ゲートパルスに応答して第２データライン（Ｄ２）からのデータ電圧を第３画素電極（ＰＩＸ２３）に供給する。第３画素電極（ＰＩＸ２３）は大体１／２水平期間の間データ電圧を充電する。  第３ＴＦＴ（Ｔ２３）のゲート電極は第３ゲートライン（Ｇ３）に接続される。 第３ＴＦＴ（Ｔ２３）のドレーン電極は第２データライン（Ｄ２）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第２データライン（Ｄ２）に接続され、そのソース電極は第４画素電極（ＰＩＸ２４）に接続される。
【００３６】
本発明の液晶表示装置は一つのデータラインに接続された液晶セルに充電されるデータ電圧の極性が同一であるのでソースドライブＩＣの消費電力を減らすことができることは勿論、液晶セルそれぞれのデータ充電量が均一にできる。したがって、本発明は既存のインバージョン方法で招来されるデータ充電量のばらつきによって招来される輝度ばらつき、色歪曲などの画質低下を防止することができる。また、本発明は左右に隣接する液晶セルが一つのデータラインを共有するＴＦＴ接続関係を利用してデータラインの個数とソースドライブＩＣのチャンネル数を減らすことができるしさらに、液晶表示装置の製造費用を減らすことができる。
【００３７】
画素アレイ１０は図２に限定されない。例えば、画素アレイ１０は図７乃至図１６のように変形可能である。図７乃至図１６の実施の形態でもデータラインの個数は大体1/2で減り、ソースドライブＩＣ１２の出力はカラムインバージョンデータ電圧であり、画素アレイ１０の液晶セルはドットインバージョンに駆動される。
【００３８】
画素アレイ１０の右側端に配置された第ｍ+1データライン（Ｄｍ＋１）は図３のように画素アレイ１０の左側端に配置された第１データライン（Ｄ１）と接続されることができる。図４は図３のような液晶表示装置でデータライン（Ｄ１〜Ｄｍ＋１）に供給されるデータ電圧の波形を示す波形図である。
【００３９】
図３及び図４を参照すれば、液晶表示装置はＴＣＰ１５とソースＰＣＢ１４を経由する接続ライン１１１をさらに備える。
【００４０】
接続ライン１１１の一側端は第１データライン（Ｄ１）に接続され、接続ライン１１１の他側端は第ｍ+1データライン（Ｄｍ＋１）に接続される。ソースドライブＩＣ１２ 中で画素アレイの左側上端に配置された第１ソースドライブＩＣ１２の出力チャンネルは第１データライン（Ｄ１）と第Ｍデータライン（Ｄｍ＋１）にデータ電圧を供給する。
【００４１】
画素アレイ１０の右側端に配置された第Ｍ＋１データライン（Ｄｍ＋１）は図５のように第１データライン（Ｄ１）に接続されないでソースドライブＩＣ１２の出力チャンネルに接続されることができる。図６は図５のような液晶表示装置でデータラインに供給されるデータ電圧の波形を示す波形図である。
【００４２】
図５及び図６を参照すれば、液晶表示パネルの上端右側に配置されるソースドライブＩＣ１２は第Ｍ＋１データライン（Ｄｍ＋１）に接続される出力チャンネルをさらに含む。
したがって、第ｍ＋１データライン（Ｄｍ＋１）はソースドライブＩＣ１２の中で画素アレイ１０の右側上端に配置された最後のソースドライブＩＣ１２から直接データ電圧を供給受ける。
【００４３】
図７は画素アレイ１０の第２実施の形態を示す回路図である。
【００４４】
図７を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１４、ＰＩＸ２１〜ＰＩＸ２４）とデータライン（Ｄ１〜Ｄｍ＋１）の間の電流パスをスイッチングするためのＴＦＴ（Ｔ１１〜Ｔ１４、Ｔ２１〜Ｔ２４）を備える。カラムインバージョン方式で極性が反転されるデータ電圧と、図７の画素アレイ構造によって液晶セルに充電されるデータ電圧はその極性が水平２ドット及び垂直１ドットインバージョンに反転される。
【００４５】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルスが供給される。
【００４６】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。 第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給して、偶数データライン（Ｄ２、Ｄ４．．． Ｄｍ）に正極性データ電圧のみを供給する。
【００４７】
奇数水平表示ライン（ＬＩＮＥ＃１、ＬＩＮＥ＃３、．．．ＬＩＮＥ＃ｎ−１） それぞれで第ｉデータラインと第ｉ＋１データラインの間に存在する奇数水平表示ラインの第１及び第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図７で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【００４８】
奇数水平表示ライン（ＬＩＮＥ＃１、ＬＩＮＥ＃３、．．．  ＬＩＮＥ＃ｎ−１）それぞれで第ｉ＋１データラインと第ｉ＋２データラインの間に存在する奇数水平表示ラインの第３及び第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図７で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。偶数水平表示ライン（ＬＩＮＥ＃２、ＬＩＮＥ＃４、．．．ＬＩＮＥ＃ｎ）それぞれで第ｉデータラインと第ｉ＋１データラインの間に存在する偶数水平ラインの第１及び第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図７で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
したがって、奇数水平表示ラインの第３及び第４液晶セルと、偶数水平ラインの第１及び第２液晶セルは第ｉ＋１データラインから供給される同一である極性のデータ電圧を充電する。
【００４９】
偶数水平表示ライン（ＬＩＮＥ＃２、ＬＩＮＥ＃４、．．．ＬＩＮＥ＃ｎ）それぞれで第ｉ＋１データラインと第ｉ＋２データラインの間に存在する偶数水平ラインの第３及び第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図７で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
【００５０】
図７に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【００５１】
第１水平表示ライン（ＬＩＮＥ＃１）で第１データライン（Ｄ１）と第２データライン（Ｄ２）の間に存在する第１及び第２液晶セルは第１データライン（Ｄ１）から順次に供給されるデータ電圧を充電する。  第１水平表示ラインの第１ＴＦＴ（Ｔ１１）は第２ゲートライン（Ｇ２）からの第２ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第１データライン（Ｄ１）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第１データライン（Ｄ１）に接続され、そのソース電極は第２画素電極（ＰＩＸ１２）に接続される。
【００５２】
第１水平表示ライン（ＬＩＮＥ＃１）で第２データライン（Ｄ２）と第３データライン（Ｄ３）の間に存在する第３及び第４液晶セルは第２データライン（Ｄ２）から順次に供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第２データライン（Ｄ２）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第２データライン（Ｄ２）に接続され、そのソース電極は第４画素電極（ＰＩＸ１４）に接続される。
【００５３】
第２水平表示ライン（ＬＩＮＥ＃２）で第１データライン（Ｄ１）と第２データライン（Ｄ２）の間に存在する第１及び第２液晶セルは第２データライン（Ｄ２）から順次に供給されるデータ電圧を充電する。第２水平表示ラインの第１ＴＦＴ（Ｔ２１）は第３ゲートライン（Ｇ３）からの第３ゲートパルスに応答し第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第３ゲートライン（Ｇ３）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第４ゲートライン（Ｇ４）からの第４ゲートパルスに応答して第２データライン（Ｄ２）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第４ゲートライン（Ｇ４）に接続される。第２ＴＦＴ（Ｔ２２）のドレーン電極は第２データライン（Ｄ２）に接続され、  そのソース電極は第２画素電極（ＰＩＸ２２）に接続される。
【００５４】
第２水平表示ライン（ＬＩＮＥ＃２）で第２データライン（Ｄ２）と第３データライン（Ｄ３）の間に存在する第３及び第４液晶セルは第３データライン（Ｄ３）から順次に供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第３ゲートライン（Ｇ３）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第３データライン（Ｄ３）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第３データライン（Ｄ３）に接続され、そのソース電極は第４画素電極（ＰＩＸ２４）に接続される。
【００５５】
図８は画素アレイ１０の第３実施の形態を示す回路図である。
【００５６】
図８を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１４、ＰＩＸ２１〜ＰＩＸ２４）とデータライン（Ｄ１〜Ｄｍ＋１）の間の電流パスをスイッチングするためのＴＦＴ（Ｔ１１〜Ｔ１４、Ｔ２１〜Ｔ２４）を備える。カラムインバージョン方式で極性が反転されるデータ電圧と、図８の画素アレイ構造によって液晶セルに充電されるデータ電圧はその極性が水平２ドット及び垂直１ドットインバージョンに反転される。
【００５７】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルスが供給される。
【００５８】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給し、偶数データライン（Ｄ２、Ｄ４．．． Ｄｍ）に正極性データ電圧のみを供給する。
【００５９】
奇数水平表示ライン（ＬＩＮＥ＃１、ＬＩＮＥ＃３、．．．  ＬＩＮＥ＃ｎ−１）それぞれで第ｉデータラインと第ｉ＋１データラインの間に存在する奇数水平表示ラインの第１及び第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図８で図面符号‘ＰＩＸ１１’は奇数水平表示ラインの第１液晶セルに形成された第１画素電極であり、’ＰＩＸ１２’は奇数水平表示ラインの第２液晶セルに形成された第２画素電極である。
【００６０】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間に存在する奇数水平表示ラインの第３及び第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図８で図面符号‘ＰＩＸ１３’は奇数水平表示ラインの第３液晶セルに形成された第３画素電極であり、’ＰＩＸ１４’は奇数水平表示ラインの第４液晶セルに形成された第４画素電極である。偶数水平表示ライン（ＬＩＮＥ＃２、ＬＩＮＥ＃４、．．．ＬＩＮＥ＃ｎ）それぞれで第ｉデータラインと第ｉ＋１データラインの間に存在する偶数水平ラインの第１及び第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図８で図面符号’ＰＩＸ２１’は偶数水平表示ラインの第１液晶セルに形成された第１画素電極であり、’ＰＩＸ２２’は偶数水平表示ラインの第２液晶セルに形成された第２画素電極である。したがって、奇数水平表示ラインの第３及び第４液晶セルと、偶数水平ラインの第１及び第２液晶セルは第ｉ＋１データラインから供給される同一である極性のデータ電圧を充電する。
【００６１】
偶数水平表示ライン（ＬＩＮＥ＃２、ＬＩＮＥ＃４、．．．ＬＩＮＥ＃ｎ） それぞれで第ｉ＋１データラインと第ｉ＋２データラインの間に存在する偶数水平ラインの第３及び第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図８で図面符号‘ＰＩＸ２３’は偶数水平表示ラインの第３液晶セルに形成された第３画素電極であり、’ＰＩＸ２４’は偶数水平表示ラインの第４液晶セルに形成された第４画素電極である。
【００６２】
図８に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【００６３】
第１水平表示ライン（ＬＩＮＥ＃１）で第１データライン（Ｄ１）と第２データライン（Ｄ２）の間に存在する第１及び第２液晶セルは第１データライン（Ｄ１）から順次に供給されるデータ電圧を充電する。第１水平表示ラインの第１ＴＦＴ（Ｔ１１）は第１ゲートライン（Ｇ１）からの第１ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第１ゲートライン（Ｇ１）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第２ゲートライン（Ｇ２）からの第２ゲートパルスに応答して第１データライン（Ｄ１）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第２ゲートライン（Ｇ２）に接続される。第２ＴＦＴ（Ｔ１２）のドレーン電極は第１データライン（Ｄ１）に接続され、そのソース電極は第２画素電極（ＰＩＸ１２）に接続される。
【００６４】
第１水平表示ライン（ＬＩＮＥ＃１）で第２データライン（Ｄ２）と第３データライン（Ｄ３）の間に存在する第３及び第４液晶セルは第２データライン（Ｄ２）から順次に供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第２データライン（Ｄ２）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第２データライン（Ｄ２）に接続され、そのソース電極は第４画素電極（ＰＩＸ１４）に接続される。
【００６５】
第２水平表示ライン（ＬＩＮＥ＃２）で第１データライン（Ｄ１）と第２データライン（Ｄ２）の間に存在する第１及び第２液晶セルは第２データライン（Ｄ２）から順次に供給されるデータ電圧を充電する。第２水平表示ラインの第１ＴＦＴ（Ｔ２１）は第４ゲートライン（Ｇ４）からの第４ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第４ゲートライン（Ｇ４）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第２データライン（Ｄ２）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第２データライン（Ｄ２）に接続され、そのソース電極は第２画素電極（ＰＩＸ２２）に接続される。
【００６６】
第２水平表示ライン（ＬＩＮＥ＃２）で第２データライン（Ｄ２）と第３データライン（Ｄ３）の間に存在する第３及び第４液晶セルは第３データライン（Ｄ３）から順次に供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第３ゲートライン（Ｇ３）に接続される。第３ＴＦＴ（Ｔ２３）のドレーン電極は第３データライン（Ｄ３）に接続され、そのソース電極は第３画素電極（ＰＩＸ２３）に接続される。 第２水平表示ラインの第４ＴＦＴ（Ｔ２４）は第４ゲートライン（Ｇ４）からの第４ゲートパルスに応答して第３データライン（Ｄ３）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第３データライン（Ｄ３）に接続され、そのソース電極は第４画素電極（ＰＩＸ２４）に接続される。
【００６７】
図９は画素アレイ１０の第４実施の形態を示す回路図である。
【００６８】
図９を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜Ｄｍ＋１）の間の電流パスをスイッチングするための ＴＦＴ（Ｔ１１〜Ｔ１６、Ｔ２１〜Ｔ２６）を備える。カラムインバージョン方式で極性が反転されるデータ電圧と、図９の画素アレイ構造によって液晶セルに充電されるデータ電圧はその極性が水平２ドット及び垂直１ドットインバージョンに反転される。
【００６９】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルスが供給される。
【００７０】
第Ｎフレーム期間の間、ソースドライブＩＣ１２は奇数データライン（Ｄ１、Ｄ３．．．Ｄｍ−１、Ｄｍ＋１）に正極性データ電圧のみを供給し、偶数データライン（Ｄ２、Ｄ４．．．Ｄｍ）に負極性データ電圧のみを供給する。第Ｎ＋１フレーム期間の間、ソースドライブＩＣ１２は奇数データライン（Ｄ１、Ｄ３．．．Ｄｍ−１、Ｄｍ＋１）に負極性データ電圧のみを供給し、偶数データライン（Ｄ２、Ｄ４．．．Ｄｍ）に正極性データ電圧のみを供給する。
【００７１】
奇数水平表示ライン（ＬＩＮＥ＃１、ＬＩＮＥ＃３、．．．ＬＩＮＥ＃ｎ−１） それぞれで第ｉデータラインと第ｉ＋１データラインの間に存在する奇数水平表示ラインの第１及び第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図９で図面符号‘ＰＩＸ１１’は奇数水平表示ラインの第１液晶セルに形成された第１画素電極であり、’ＰＩＸ１２’は奇数水平表示ラインの第２液晶セルに形成された第２画素電極である。
【００７２】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間に存在する奇数水平表示ラインの第３及び第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図９で図面符号 ‘ＰＩＸ１３’は奇数水平表示ラインの第３液晶セルに形成された第３画素電極であり、’ＰＩＸ１４’は奇数水平表示ラインの第４液晶セルに形成された第４画素電極である。偶数水平表示ライン（ＬＩＮＥ＃２、ＬＩＮＥ＃４、．．．ＬＩＮＥ＃ｎ） それぞれで第ｉデータラインと第ｉ＋１データラインの間に存在する偶数水平ラインの第１及び第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図９で図面符号’ＰＩＸ２１’は偶数水平表示ラインの第１液晶セルに形成された第１画素電極であり、’ＰＩＸ２２’は偶数水平表示ラインの第２液晶セルに形成された第２画素電極である。したがって、奇数水平表示ラインの第３及び第４液晶セルと、偶数水平ラインの第１及び第２液晶セルは第ｉ＋１データラインから供給される同一である極性のデータ電圧を充電する。
【００７３】
奇数水平表示ライン（ＬＩＮＥ＃１、ＬＩＮＥ＃３、．．．ＬＩＮＥ＃ｎ−１）それぞれで第ｉ＋２データラインと第ｉ＋３データラインの間に存在する奇数水平表示ラインの第５及び第６液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図９で図面符号‘ＰＩＸ１５’は奇数水平表示ラインの第５液晶セルに形成された第５画素電極であり、‘ＰＩＸ１６’は奇数水平表示ラインの第６液晶セルに形成された第６画素電極である。偶数水平表示ライン（ＬＩＮＥ＃２、ＬＩＮＥ＃４、．．．ＬＩＮＥ＃ｎ）それぞれで第ｉ＋１データラインと第ｉ＋２データラインの間に存在する偶数水平ラインの第３及び第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図９で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
したがって、奇数水平表示ラインの第５及び第６液晶セルと、偶数水平ラインの第３及び第４液晶セルは第ｉ＋２データラインから供給される同一である極性のデータ電圧を充電する。
【００７４】
偶数水平表示ライン（ＬＩＮＥ＃２、ＬＩＮＥ＃４、．．．ＬＩＮＥ＃ｎ） それぞれで第ｉ＋２データラインと第ｉ＋３データラインの間に存在する偶数水平ラインの第５及び第６液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。図９で図面符号‘ＰＩＸ２５’は偶数水平表示ラインの第５液晶セルに形成された第５画素電極であり、‘ＰＩＸ２６’は偶数水平表示ラインの第６液晶セルに形成された第６画素電極である。
【００７５】
図９に示された画素アレイ１０からＴＦＴ、画素電極及びデータラインの接続関係を第１水平表示ライン（ＬＩＮＥ＃１）の第１乃至第６液晶セルと、第２水平表示ライン（ＬＩＮＥ＃２）の第１乃至第６液晶セルを例をあげて説明する。
【００７６】
第１水平表示ライン（ＬＩＮＥ＃１）で第１データライン（Ｄ１）と第２データライン（Ｄ２）の間に存在する第１及び第２液晶セルは第１データライン（Ｄ１）から順次に供給されるデータ電圧を充電する。第１水平表示ラインの第１ＴＦＴ（Ｔ１１）は第２ゲートライン（Ｇ２）からの第２ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第１データライン（Ｄ１）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第１データライン（Ｄ１）に接続されて、そのソース電極は第２画素電極（ＰＩＸ１２）に接続される。
【００７７】
第１水平表示ライン（ＬＩＮＥ＃１）で第２データライン（Ｄ２）と第３データライン（Ｄ３）の間に存在する第３及び第４液晶セルは第２データライン（Ｄ２）から順次に供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第２データライン（Ｄ２）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第２データライン（Ｄ２）に接続され、そのソース電極は第４画素電極（ＰＩＸ１４）に接続される。
【００７８】
第１水平表示ライン（ＬＩＮＥ＃１）で第３データライン（Ｄ３）と第４データライン（Ｄ４）の間に存在する第５及び第６液晶セルは第３データライン（Ｄ３）から順次に供給されるデータ電圧を充電する。第１水平表示ラインの第５ＴＦＴ(Ｔ１５)は第１ゲートライン（Ｇ１）からの第１ゲートパルスに応答して第３データライン（Ｄ３）からのデータ電圧を第５画素電極(ＰＩＸ１５)に供給する。第５画素電極(ＰＩＸ１５)は大体１／２水平期間の間データ電圧を充電する。第５ＴＦＴ(Ｔ１５)のゲート電極は第１ゲートライン（Ｇ１）に接続される。第５ＴＦＴ(Ｔ１５)のドレーン電極は第３データライン（Ｄ３）に接続され、そのソース電極は第５画素電極(ＰＩＸ１５)に接続される。第１水平表示ラインの第６ＴＦＴ(Ｔ１６)は第２ゲートライン（Ｇ２）からの第２ゲートパルスに応答して第３データライン（Ｄ３）からのデータ電圧を第６画素電極(ＰＩＸ１６)に供給する。第６画素電極(ＰＩＸ１６)は大体１／２水平期間の間データ電圧を充電する。  第６ＴＦＴ(Ｔ１６)のゲート電極は第２ゲートライン（Ｇ２）に接続される。第６ＴＦＴ(Ｔ１６)のドレーン電極は第３データライン（Ｄ３）に接続され、そのソース電極は第６画素電極(ＰＩＸ１６)に接続される。
【００７９】
第２水平表示ライン（ＬＩＮＥ＃２）で第１データライン（Ｄ１）と第２データライン（Ｄ２）の間に存在する第１及び第２液晶セルは第２データライン（Ｄ２）から順次に供給されるデータ電圧を充電する。第２水平表示ラインの第１ＴＦＴ（Ｔ２１）は第３ゲートライン（Ｇ３）からの第３ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第３ゲートライン（Ｇ３）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第４ゲートライン（Ｇ４）からの第４ゲートパルスに応答して第２データライン（Ｄ２）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第４ゲートライン（Ｇ４）に接続される。第２ＴＦＴ（Ｔ２２）のドレーン電極は第２データライン（Ｄ２）に接続され、そのソース電極は第２画素電極（ＰＩＸ２２）に接続される。
【００８０】
第２水平表示ライン（ＬＩＮＥ＃２）で第２データライン（Ｄ２）と第３データライン（Ｄ３）の間に存在する第３及び第４液晶セルは第３データライン（Ｄ３）から順次に供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第３ゲートライン（Ｇ３）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第３データライン（Ｄ３）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第３データライン（Ｄ３）に接続され、そのソース電極は第４画素電極（ＰＩＸ２４）に接続される。
【００８１】
第２水平表示ライン（ＬＩＮＥ＃２）で第３データライン（Ｄ３）と第４データライン（Ｄ４）の間に存在する第５及び第６液晶セルは第４データライン（Ｄ４）から順次に供給されるデータ電圧を充電する。第２水平表示ラインの第５ＴＦＴ（Ｔ２５）は第４ゲートライン（Ｇ４）からの第４ゲートパルスに応答して第４データライン（Ｄ４）からのデータ電圧を第５画素電極（ＰＩＸ２５）に供給する。第５画素電極（ＰＩＸ２５）は大体１／２水平期間の間データ電圧を充電する。第５ＴＦＴ（Ｔ２５）のゲート電極は第４ゲートライン（Ｇ４）に接続される。第５ＴＦＴ（Ｔ２５）のドレーン電極は第４データライン（Ｄ４）に接続され、そのソース電極は第５画素電極（ＰＩＸ２５）に接続される。第２水平表示ラインの第６ＴＦＴ（Ｔ２６）は第３ゲートライン（Ｇ３）からの第３ゲートパルスに応答して第４データライン（Ｄ４）からのデータ電圧を第６画素電極（ＰＩＸ２６）に供給する。第６画素電極（ＰＩＸ２６）は大体１／２水平期間の間データ電圧を充電する。第６ＴＦＴ（Ｔ２６）のゲート電極は第３ゲートライン（Ｇ３）に接続される。第６ＴＦＴ（Ｔ２６）のドレーン電極は第４データライン（Ｄ４）に接続され、そのソース電極は第６画素電極（ＰＩＸ２６）に接続される。
【００８２】
図１０は画素アレイ１０の第５実施の形態を示す回路図である。
【００８３】
図１０を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１４、ＰＩＸ２１〜ＰＩＸ２４）とデータライン（Ｄ１〜Ｄｍ＋１）の間の電流パスをスイッチングするためのＴＦＴ（Ｔ１１〜Ｔ１４、Ｔ２１〜Ｔ２４）を備える。カラムインバージョン方式で極性が反転されるデータ電圧と、図１０の画素アレイ構造によって液晶セルに充電されるデータ電圧はその極性が水平２ドット及び垂直１ドットインバージョンに反転される。
【００８４】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルスが供給される。
【００８５】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．．Ｄｍ）に負極性データ電圧のみを供給する。  第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給し、偶数データライン（Ｄ２、Ｄ４．．．Ｄｍ）に正極性データ電圧のみを供給する。
【００８６】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１０で図面符号‘ＰＩＸ１１’は奇数水平表示ラインの第１液晶セルに形成された第１画素電極であり、’ＰＩＸ１２’は奇数水平表示ラインの第２液晶セルに形成された第２画素電極である。
【００８７】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１０で図面符号‘ＰＩＸ１３’は奇数水平表示ラインの第３液晶セルに形成された第３画素電極であり、’ＰＩＸ１４’は奇数水平表示ラインの第４液晶セルに形成された第４画素電極である。  
【００８８】
偶数水平表示ライン（ＬＩＮＥ＃２、ＬＩＮＥ＃４、．．．ＬＩＮＥ＃ｎ） それぞれで第ｉデータラインと第ｉ＋１データラインの間には偶数水平ラインの第１及び第２液晶セルが存在する。偶数水平ラインの第１液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。偶数水平ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図１０で図面符号’ＰＩＸ２１’は偶数水平表示ラインの第１液晶セルに形成された第１画素電極であり、’ＰＩＸ２２’は偶数水平表示ラインの第２液晶セルに形成された第２画素電極である。
【００８９】
偶数水平表示ライン（ＬＩＮＥ＃２、ＬＩＮＥ＃４、．．．ＬＩＮＥ＃ｎ） それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１０で図面符号‘ＰＩＸ２３’は偶数水平表示ラインの第３液晶セルに形成された第３画素電極であり、’ＰＩＸ２４’は偶数水平表示ラインの第４液晶セルに形成された第４画素電極である。
【００９０】
図１０に示されるように、奇数水平表示ラインの第２及び第３液晶セルと、偶数水平ラインの第１及び第４液晶セルは第ｉ＋１データラインから供給される同一である極性のデータ電圧を充電する。奇数水平表示ラインの第２及び第３液晶セルと、偶数水平ラインの第１及び第４液晶セルに充電されるデータ電圧の極性は奇数水平表示ラインの第１及び第４液晶セルと、偶数水平ラインの第２及び第３液晶セルに充電されるデータ電圧の極性とは相反する。  
【００９１】
図１０に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【００９２】
第１水平表示ライン（ＬＩＮＥ＃１）の第２液晶セルは第２データライン（Ｄ２）から供給されるデータ電圧を充電する。続いて、第１水平表示ライン（ＬＩＮＥ＃１）の第１液晶セルは第１データライン（Ｄ１）から供給されるデータ電圧を充電する。第１水平表示ラインの第１ＴＦＴ（Ｔ１１）は第２ゲートライン（Ｇ２）からの第２ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。  第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第２データライン（Ｄ２）に接続され、そのソース電極は第２画素電極（ＰＩＸ１２）に接続される。
【００９３】
第１水平表示ライン（ＬＩＮＥ＃１）の第４液晶セルは第３データライン（Ｄ３）から供給されるデータ電圧を充電する。引き継いで、第１水平表示ライン（ＬＩＮＥ＃１）の第３液晶セルは第２データライン（Ｄ２）から供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。  第３ＴＦＴ（Ｔ１３）のゲート電極は第２ゲートライン（Ｇ２）に接続される。  第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第３データライン（Ｄ３）に接続され、そのソース電極は第４画素電極（ＰＩＸ１４）に接続される。
【００９４】
第２水平表示ライン（ＬＩＮＥ＃２）の第１液晶セルは第２データライン（Ｄ２）から供給されるデータ電圧を充電する。引き継いで、第２水平表示ライン（ＬＩＮＥ＃２）の第２液晶セルは第１データライン（Ｄ１）から供給されるデータ電圧を充電する。第２水平表示ラインの第１ＴＦＴ（Ｔ２１）は第３ゲートライン（Ｇ３）からの第３ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第３ゲートライン（Ｇ３）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第４ゲートライン（Ｇ４）からの第４ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第４ゲートライン（Ｇ４）に接続される。第２ＴＦＴ（Ｔ２２）のドレーン電極は第１データライン（Ｄ１）に接続され、そのソース電極は第２画素電極（ＰＩＸ２２）に接続される。
【００９５】
第２水平表示ライン（ＬＩＮＥ＃２）の第３液晶セルは第３データライン（Ｄ３）から供給されるデータ電圧を充電する。引き継いで、第２水平表示ライン（ＬＩＮＥ＃２）の第４液晶セルは第２データライン（Ｄ２）から供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。  第３ＴＦＴ（Ｔ２３）のゲート電極は第３ゲートライン（Ｇ３）に接続される。  第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第２データライン（Ｄ２）に接続され、そのソース電極は第４画素電極（ＰＩＸ２４）に接続される。
【００９６】
図１１は画素アレイ１０の第６実施の形態を示す回路図である。
【００９７】
図１１を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１４、ＰＩＸ２１〜ＰＩＸ２４）とデータライン（Ｄ１〜Ｄｍ＋１）の間の電流パスをスイッチングするためのＴＦＴ（Ｔ１１〜Ｔ１４、Ｔ２１〜Ｔ２４）を備える。カラムインバージョン方式で極性が反転されるデータ電圧と、図１１の画素アレイ構造によって液晶セルに充電されるデータ電圧はその極性が水平２ドット及び垂直１ドットインバージョンに反転される。
【００９８】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【００９９】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給し、偶数データライン（Ｄ２、Ｄ４．．．Ｄｍ）に正極性データ電圧のみを供給する。
【０１００】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１１で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【０１０１】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１１で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。
【０１０２】
偶数水平表示ライン（ＬＩＮＥ＃２、ＬＩＮＥ＃４、．．．ＬＩＮＥ＃ｎ） それぞれで第ｉデータラインと第ｉ＋１データラインの間には偶数水平ラインの第１及び第２液晶セルが存在する。偶数水平ラインの第１液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。偶数水平ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図１１で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１０３】
偶数水平表示ライン（ＬＩＮＥ＃２、ＬＩＮＥ＃４、．．．ＬＩＮＥ＃ｎ） それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１１で図面符号‘ＰＩＸ２３’は偶数水平表示ラインの第３液晶セルに形成された第３画素電極であり、’ＰＩＸ２４’は偶数水平表示ラインの第４液晶セルに形成された第４画素電極である。
【０１０４】
図１１に示されるように、奇数水平表示ラインの第２及び第３液晶セルと、偶数水平ラインの第１及び第４液晶セルは第ｉ＋１データラインから供給される同一である極性のデータ電圧を充電する。奇数水平表示ラインの第２及び第３液晶セルと、偶数水平ラインの第１及び第４液晶セルに充電されるデータ電圧の極性は奇数水平表示ラインの第１及び第４液晶セルと、偶数水平ラインの第２及び第３液晶セルに充電されるデータ電圧の極性とは相反する。
【０１０５】
図１１に示された画素アレイ１０から ＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【０１０６】
第１水平表示ライン（ＬＩＮＥ＃１）の第１液晶セルは第１データライン（Ｄ１）から供給されるデータ電圧を充電する。引き継いで、第１水平表示ライン（ＬＩＮＥ＃１）の第２液晶セルは第２データライン（Ｄ２）から供給されるデータ電圧を充電する。第１水平表示ラインの第１ＴＦＴ（Ｔ１１）は第１ゲートライン（Ｇ１）からの第１ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第１ゲートライン（Ｇ１）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第２ゲートライン（Ｇ２）からの第２ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第２ゲートライン（Ｇ２）に接続される。第２ＴＦＴ（Ｔ１２）のドレーン電極は第２データライン（Ｄ２）に接続され、そのソース電極は第２画素電極（ＰＩＸ１２）に接続される。
【０１０７】
第１水平表示ライン（ＬＩＮＥ＃１）の第３液晶セルは第２データライン（Ｄ２）から供給されるデータ電圧を充電する。引き継いで、第１水平表示ライン（ＬＩＮＥ＃１）の第４液晶セルは第３データライン（Ｄ３）から供給されるデータ電圧を充電する。第１水平表示ラインの第３ＴＦＴ（Ｔ１３）は第１ゲートライン（Ｇ１）からの第１ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第１ゲートライン（Ｇ１）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第２ゲートライン（Ｇ２）からの第２ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第２ゲートライン（Ｇ２）に接続される。第４ＴＦＴ（Ｔ１４）のドレーン電極は第３データライン（Ｄ３）に接続され、そのソース電極は第４画素電極（ＰＩＸ１４）に接続される。
【０１０８】
第２水平表示ライン（ＬＩＮＥ＃２）の第２液晶セルは第１データライン（Ｄ１）から供給されるデータ電圧を充電する。引き継いで、第２水平表示ライン（ＬＩＮＥ＃２）の第１液晶セルは第２データライン（Ｄ２）から供給されるデータ電圧を充電する。第２水平表示ラインの第１ＴＦＴ（Ｔ２１）は第４ゲートライン（Ｇ４）からの第４ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第４ゲートライン（Ｇ４）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第１データライン（Ｄ１）に接続され、そのソース電極は第２画素電極（ＰＩＸ２２）に接続される。
【０１０９】
第２水平表示ライン（ＬＩＮＥ＃２）の第４液晶セルは第２データライン（Ｄ２）から供給されるデータ電圧を充電する。引き継いで、第２水平表示ライン（ＬＩＮＥ＃２）の第３液晶セルは第３データライン（Ｄ３）から供給されるデータ電圧を充電する。第２水平表示ラインの第３ＴＦＴ（Ｔ２３）は第４ゲートライン（Ｇ４）からの第４ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第４ゲートライン（Ｇ４）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第３ゲートライン（Ｇ３）からの第３ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第３ゲートライン（Ｇ３）に接続される。第４ＴＦＴ（Ｔ２４）のドレーン電極は第２データライン（Ｄ２）に接続され、そのソース電極は第４画素電極（ＰＩＸ２４）に接続される。
【０１１０】
図１２は画素アレイ１０の第７実施の形態を示す回路図である。
【０１１１】
図１２を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜Ｄｍ＋１）の間の電流パスをスイッチングするためのＴＦＴ（Ｔ１１〜Ｔ１６、Ｔ２１〜Ｔ２６）を備える。カラムインバージョン方式で極性が反転されるデータ電圧と、図１２の画素アレイ構造によって液晶セルに充電されるデータ電圧はその極性が水平２ドット及び垂直１ドットインバージョンに反転される。
【０１１２】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【０１１３】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給し、偶数データライン（Ｄ２、Ｄ４．．． Ｄｍ）に正極性データ電圧のみを供給する。
【０１１４】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１２で図面符号‘ＰＩＸ１１’は奇数水平表示ラインの第１液晶セルに形成された第１画素電極であり、’ＰＩＸ１２’は奇数水平表示ラインの第２液晶セルに形成された第２画素電極である。
【０１１５】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。 図１２で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。
【０１１６】
偶数水平表示ライン（ＬＩＮＥ＃２、ＬＩＮＥ＃４、．．．ＬＩＮＥ＃ｎ） それぞれで第ｉデータラインと第ｉ＋１データラインの間には偶数水平ラインの第１及び第２液晶セルが存在する。偶数水平ラインの第１液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。偶数水平ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図１２で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１１７】
偶数水平表示ライン（ＬＩＮＥ＃２、ＬＩＮＥ＃４、．．．ＬＩＮＥ＃ｎ） それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１２で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
【０１１８】
図１２に示されるように、奇数水平表示ラインの第２及び第３液晶セルと、偶数水平ラインの第１及び第４液晶セルは第ｉ＋１データラインから供給される同一である極性のデータ電圧を充電する。奇数水平表示ラインの第２及び第３液晶セルと、偶数水平ラインの第１及び第４液晶セルに充電されるデータ電圧の極性は奇数水平表示ラインの第１及び第４液晶セルと、偶数水平ラインの第２及び第３液晶セルに充電されるデータ電圧の極性とは相反する。  
【０１１９】
図１２に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【０１２０】
第１水平表示ライン（ＬＩＮＥ＃１）の第１液晶セルは第１データライン（Ｄ１）から供給されるデータ電圧を充電する。これと同時に、第１水平表示ライン（ＬＩＮＥ＃１）の第２液晶セルは第２データライン（Ｄ２）から供給されるデータ電圧を充電する。第１水平表示ラインの第１ＴＦＴ（Ｔ１１）は第１ゲートライン（Ｇ１）からの第１ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。  第１ＴＦＴ（Ｔ１１）のゲート電極は第１ゲートライン（Ｇ１）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第２データライン（Ｄ２）に接続され、そのソース電極は第２画素電極（ＰＩＸ１２）に接続される。
【０１２１】
第１水平表示ライン（ＬＩＮＥ＃１）の第３液晶セルは第２データライン（Ｄ２）から供給されるデータ電圧を充電する。これと共に、第１水平表示ライン（ＬＩＮＥ＃１）の第４液晶セルは第３データライン（Ｄ３）から供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第２ゲートライン（Ｇ２）からの第２ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第２ゲートライン（Ｇ２）に接続される。第４ＴＦＴ（Ｔ１４）のドレーン電極は第３データライン（Ｄ３）に接続され、そのソース電極は第４画素電極（ＰＩＸ１４）に接続される。
【０１２２】
第２水平表示ライン（ＬＩＮＥ＃２）の第２液晶セルは第１データライン（Ｄ１）から供給されるデータ電圧を充電する。引き継いで、第２水平表示ライン（ＬＩＮＥ＃２）の第１液晶セルは第２データライン（Ｄ２）から供給されるデータ電圧を充電する。第２水平表示ラインの第１ＴＦＴ（Ｔ２１）は第４ゲートライン（Ｇ４）からの第４ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第４ゲートライン（Ｇ４）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第１データライン（Ｄ１）に接続され、そのソース電極は第２画素電極（ＰＩＸ２２）に接続される。
【０１２３】
第２水平表示ライン（ＬＩＮＥ＃２）の第４液晶セルは第２データライン（Ｄ２）から供給されるデータ電圧を充電する。引き継いで、第２水平表示ライン（ＬＩＮＥ＃２）の第３液晶セルは第３データライン（Ｄ３）から供給されるデータ電圧を充電する。第２水平表示ラインの第３ＴＦＴ（Ｔ２３）は第４ゲートライン（Ｇ４）からの第４ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第４ゲートライン（Ｇ４）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第３ゲートライン（Ｇ３）からの第３ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第３ゲートライン（Ｇ３）に接続される。第４ＴＦＴ（Ｔ２４）のドレーン電極は第２データライン（Ｄ２）に接続され、そのソース電極は第４画素電極（ＰＩＸ２４）に接続される。
【０１２４】
図１３は画素アレイ１０の第８実施の形態を示す回路図である。
【０１２５】
図１３を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜Ｄｍ＋１）の間の電流パスをスイッチングするためのＴＦＴ（Ｔ１１〜Ｔ１６、Ｔ２１〜Ｔ２６）を備える。 カラムインバージョン方式で極性が反転されるデータ電圧と、図１３の画素アレイ構造によって液晶セルに充電されるデータ電圧はその極性が水平２ドット及び垂直１ドットインバージョンに反転される。また、図１３の画素アレイ１０の一部液晶セルに充電されるデータ電圧は水平１ドット及び垂直１ドットインバージョンに反転される。したがって、図１３の画素アレイには水平２ドット及び垂直１ドットインバージョン形態に極性が反転される液晶セルと、水平１ドット及び垂直１ドットインバージョン形態に極性の反転される液晶セルが混在される。
【０１２６】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【０１２７】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給し、偶数データライン（Ｄ２、Ｄ４．．． Ｄｍ）に正極性データ電圧のみを供給する。
【０１２８】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１３で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【０１２９】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１３で図面符号‘ＰＩＸ１３’は奇数水平表示ラインの第３液晶セルに形成された第３画素電極であり、’ＰＩＸ１４’は奇数水平表示ラインの第４液晶セルに形成された第４画素電極である。
【０１３０】
奇数水平表示ライン（ＬＩＮＥ＃１、ＬＩＮＥ＃３、．．．ＬＩＮＥ＃ｎ−１）それぞれで第ｉ＋２データラインと第ｉ＋３データラインの間には奇数水平表示ラインの第５及び第６液晶セルが存在する。奇数水平表示ラインの第５液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。奇数水平表示ラインの第６液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１３で図面符号‘ＰＩＸ１５’は奇数水平表示ラインの第５液晶セルに形成された第５画素電極であり、‘ＰＩＸ１６’は奇数水平表示ラインの第６液晶セルに形成された第６画素電極である。
【０１３１】
偶数水平表示ライン（ＬＩＮＥ＃２、ＬＩＮＥ＃４、．．．ＬＩＮＥ＃ｎ）それぞれで第ｉデータラインと第ｉ＋１データラインの間には偶数水平ラインの第１及び第２液晶セルが存在する。偶数水平ラインの第１液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。偶数水平ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図１３で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１３２】
偶数水平表示ライン（ＬＩＮＥ＃２、ＬＩＮＥ＃４、．．．ＬＩＮＥ＃ｎ）それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。  図１３で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
【０１３３】
偶数水平表示ライン（ＬＩＮＥ＃２、ＬＩＮＥ＃４、．．．ＬＩＮＥ＃ｎ）それぞれで第ｉ＋２データラインと第ｉ＋３データラインの間には偶数水平ラインの第５及び第６液晶セルが存在する。偶数水平ラインの第５液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第６液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。図１３で図面符号‘ＰＩＸ２５’は偶数水平表示ラインの第５液晶セルに形成された第５画素電極であり、‘ＰＩＸ２６’は偶数水平表示ラインの第６液晶セルに形成された第６画素電極である。
【０１３４】
図１３に示されるように、奇数水平表示ラインの第２及び第３液晶セルと、偶数水平ラインの第１及び第４液晶セルは第ｉ＋１データラインから供給される同一である極性のデータ電圧を充電する。奇数水平表示ラインの第２及び第３液晶セルと、偶数水平ラインの第１及び第４液晶セルに充電されるデータ電圧の極性は奇数水平表示ラインの第１及び第４液晶セルと、偶数水平ラインの第２及び第３液晶セルに充電されるデータ電圧の極性とは相反する。したがって、奇数水平表示ラインの第１乃至第４液晶セルと、偶数水平ラインの第１乃至第４液晶セルに充電されるデータ電圧の極性は水平２ドット及び垂直１ドットインバージョンに反転される。これに比べて、奇数水平表示ラインの第３乃至第６液晶セルと、偶数水平ラインの第３乃至第６液晶セルに充電されるデータ電圧の極性は水平１ドット及び垂直１ドットインバージョンに反転される。
【０１３５】
図１３に示された画素アレイ１０からＴＦＴ、画素電極及びデータラインの接続関係を第１水平表示ライン（ＬＩＮＥ＃１）の第１ないし第６液晶セルと、第２水平表示ライン（ＬＩＮＥ＃２）の第１乃至第６液晶セルを例をあげて説明する。
【０１３６】
第１水平表示ライン（ＬＩＮＥ＃１）の第２液晶セルは第２データライン（Ｄ２）から供給されるデータ電圧を充電する。引き継いで、第１水平表示ライン（ＬＩＮＥ＃１）の第１液晶セルは第１データライン（Ｄ１）から供給されるデータ電圧を充電する。第１水平表示ラインの第１ＴＦＴ（Ｔ１１）は第２ゲートライン（Ｇ２）からの第２ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第２データライン（Ｄ２）に接続され、そのソース電極は第２画素電極（ＰＩＸ１２）に接続される。
【０１３７】
第１水平表示ライン（ＬＩＮＥ＃１）の第４液晶セルは第３データライン（Ｄ３）から供給されるデータ電圧を充電する。引き継いで、第１水平表示ライン（ＬＩＮＥ＃１）の第３液晶セルは第２データライン（Ｄ２）から供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第３データライン（Ｄ３）に接続され、そのソース電極は第４画素電極（ＰＩＸ１４）に接続される。
【０１３８】
第１水平表示ライン（ＬＩＮＥ＃１）の第５液晶セルは第４データライン（Ｄ４）から供給されるデータ電圧を充電する。引き継いで、第１水平表示ライン（ＬＩＮＥ＃１）の第６液晶セルは第３データライン（Ｄ３）から供給されるデータ電圧を充電する。第１水平表示ラインの第５ＴＦＴ(Ｔ１５)は第１ゲートライン（Ｇ１）からの第１ゲートパルスに応答して第４データライン（Ｄ４）からのデータ電圧を第５画素電極(ＰＩＸ１５)に供給する。第５画素電極(ＰＩＸ１５)は大体１／２水平期間の間データ電圧を充電する。第５ＴＦＴ(Ｔ１５)のゲート電極は第１ゲートライン（Ｇ１）に接続される。第５ＴＦＴ(Ｔ１５)のドレーン電極は第４データライン（Ｄ４）に接続され、そのソース電極は第５画素電極(ＰＩＸ１５)に接続される。第１水平表示ラインの第６ＴＦＴ(Ｔ１６)は第２ゲートライン（Ｇ２）からの第２ゲートパルスに応答して第３データライン（Ｄ３）からのデータ電圧を第６画素電極(ＰＩＸ１６)に供給する。第６画素電極(ＰＩＸ１６)は大体１／２水平期間の間データ電圧を充電する。第６ＴＦＴ(Ｔ１６)のゲート電極は第２ゲートライン（Ｇ２）に接続される。第６ＴＦＴ(Ｔ１６)のドレーン電極は第３データライン（Ｄ３）に接続され、そのソース電極は第６画素電極(ＰＩＸ１６)に接続される。
【０１３９】
第２水平表示ライン（ＬＩＮＥ＃２）の第１液晶セルは第２データライン（Ｄ２）から供給されるデータ電圧を充電する。引き継いで、第２水平表示ライン（ＬＩＮＥ＃２）の第２液晶セルは第１データライン（Ｄ１）から供給されるデータ電圧を充電する。第２水平表示ラインの第１ＴＦＴ（Ｔ２１）は第３ゲートライン（Ｇ３）からの第３ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第３ゲートライン（Ｇ３）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第４ゲートライン（Ｇ４）からの第４ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第４ゲートライン（Ｇ４）に接続される。第２ＴＦＴ（Ｔ２２）のドレーン電極は第１データライン（Ｄ１）に接続され、そのソース電極は第２画素電極（ＰＩＸ２２）に接続される。
【０１４０】
第２水平表示ライン（ＬＩＮＥ＃２）の第３液晶セルは第３データライン（Ｄ３）から供給されるデータ電圧を充電する。引き継いで、第２水平表示ライン（ＬＩＮＥ＃２）の第４液晶セルは第２データライン（Ｄ２）から供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第３ゲートライン（Ｇ３）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第２データライン（Ｄ２）に接続されて、そのソース電極は第４画素電極（ＰＩＸ２４）に接続される。
【０１４１】
第２水平表示ライン（ＬＩＮＥ＃２）の第６液晶セルは第４データライン（Ｄ４）から供給されるデータ電圧を充電する。引き継いで、第２水平表示ライン（ＬＩＮＥ＃２）の第５液晶セルは第３データライン（Ｄ３）から供給されるデータ電圧を充電する。第２水平表示ラインの第５ＴＦＴ（Ｔ２５）は第４ゲートライン（Ｇ４）からの第４ゲートパルスに応答して第３データライン（Ｄ３）からのデータ電圧を第５画素電極（ＰＩＸ２５）に供給する。第５画素電極（ＰＩＸ２５）は大体１／２水平期間の間データ電圧を充電する。第５ＴＦＴ（Ｔ２５）のゲート電極は第４ゲートライン（Ｇ４）に接続される。第５ＴＦＴ（Ｔ２５）のドレーン電極は第３データライン（Ｄ３）に接続され、そのソース電極は第５画素電極（ＰＩＸ２５）に接続される。第２水平表示ラインの第６ＴＦＴ（Ｔ２６）は第３ゲートライン（Ｇ３）からの第３ゲートパルスに応答して第４データライン（Ｄ４）からのデータ電圧を第６画素電極（ＰＩＸ２６）に供給する。第６画素電極（ＰＩＸ２６）は大体１／２水平期間の間データ電圧を充電する。第６ＴＦＴ（Ｔ２６）のゲート電極は第３ゲートライン（Ｇ３）に接続される。第６ＴＦＴ（Ｔ２６）のドレーン電極は第６ データライン(Ｄ６)に接続され、そのソース電極は第６画素電極（ＰＩＸ２６）に接続される。
【０１４２】
図１４は画素アレイ１０の第９実施の形態を示す回路図である。
【０１４３】
図１４を参照すれば、画素アレイ１０はデータライン（Ｄ１〜Ｄｍ＋１）、データライン（Ｄ１〜Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜Ｄｍ＋１）の間の電流パスをスイッチングするためのＴＦＴ（Ｔ１１〜Ｔ１６、Ｔ２１〜Ｔ２６）を備える。カラムインバージョン方式で極性が反転されるデータ電圧と、図１４の画素アレイ構造によって液晶セルに充電されるデータ電圧はその極性が水平２ドット及び垂直１ドットインバージョンに反転される。また、図１４の画素アレイ１０の一部液晶セルに充電されるデータ電圧は水平１ドット及び垂直１ドットインバージョンに反転される。したがって、図１４の画素アレイには水平２ドット及び垂直１ドットインバージョン形態に極性が反転される液晶セルと、水平１ドット及び垂直１ドットインバージョン形態に極性の反転される液晶セルが混在される。
【０１４４】
ソースドライブＩＣ１２はカラムインバージョン形態に極性が反転されるデータ電圧をデータライン（Ｄ１〜Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【０１４５】
第Ｎフレーム期間の間、ソースドライブＩＣ１２は奇数データライン（Ｄ１、Ｄ３．．． Ｄｍ−１、Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、Ｄｍ＋１）に負極性データ電圧のみを供給して、偶数データライン（Ｄ２、Ｄ４．．． Ｄｍ）に正極性データ電圧のみを供給する。
【０１４６】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１４で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【０１４７】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１４で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。
【０１４８】
奇数水平表示ライン（ＬＩＮＥ＃１、ＬＩＮＥ＃３、．．．ＬＩＮＥ＃ｎ−１）それぞれで第ｉ＋２データラインと第ｉ＋３データラインの間には奇数水平表示ラインの第５及び第６液晶セルが存在する。奇数水平表示ラインの第５液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。奇数水平表示ラインの第６液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１４で図面符号‘ＰＩＸ１５’は奇数水平表示ラインの第５液晶セルに形成された第５画素電極であり、‘ＰＩＸ１６’は奇数水平表示ラインの第６液晶セルに形成された第６画素電極である。
【０１４９】
偶数水平表示ライン（ＬＩＮＥ＃２、ＬＩＮＥ＃４、．．．ＬＩＮＥ＃ｎ）それぞれで第ｉデータラインと第ｉ＋１データラインの間には偶数水平ラインの第１及び第２液晶セルが存在する。偶数水平ラインの第１液晶セルは第Ｎフレーム期間の間第ｉ＋１データラインから供給される正極性データ電圧を充電した後、第Ｎ＋１フレーム期間の間第ｉデータラインから供給される正極性データ電圧を充電する。偶数水平ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。  図１４で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１５０】
偶数水平表示ライン（ＬＩＮＥ＃２、ＬＩＮＥ＃４、．．．ＬＩＮＥ＃ｎ）それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１４で図面符号‘ＰＩＸ２３’は偶数水平表示ラインの第３液晶セルに形成された第３画素電極であり、’ＰＩＸ２４’は偶数水平表示ラインの第４液晶セルに形成された第４画素電極である。
【０１５１】
偶数水平表示ライン（ＬＩＮＥ＃２、ＬＩＮＥ＃４、．．．ＬＩＮＥ＃ｎ）それぞれで第ｉ＋２データラインと第ｉ＋３データラインの間には偶数水平ラインの第５及び第６液晶セルが存在する。偶数水平ラインの第５液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第６液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。図１４で図面符号‘ＰＩＸ２５’は偶数水平表示ラインの第５液晶セルに形成された第５画素電極であり、‘ＰＩＸ２６’は偶数水平表示ラインの第６液晶セルに形成された第６画素電極である。
【０１５２】
図１４に示されるように、奇数水平表示ラインの第２及び第３液晶セルと、偶数水平ラインの第１及び第４液晶セルは第ｉ＋１データラインから供給される同一である極性のデータ電圧を充電する。奇数水平表示ラインの第２及び第３液晶セルと、偶数水平ラインの第１及び第４液晶セルに充電されるデータ電圧の極性は奇数水平表示ラインの第１及び第４液晶セルと、偶数水平ラインの第２及び第３液晶セルに充電されるデータ電圧の極性とは相反する。したがって、奇数水平表示ラインの第１乃至第４液晶セルと、偶数水平ラインの第１乃至第４液晶セルに充電されるデータ電圧の極性は水平２ドット及び垂直１ドットインバージョンに反転される。これに比べて、奇数水平表示ラインの第３乃至第６液晶セルと、偶数水平ラインの第３乃至第６液晶セルに充電されるデータ電圧の極性は水平１ドット及び垂直１ドットインバージョンに反転される。
【０１５３】
図１４に示された画素アレイ１０から ＴＦＴ、画素電極及びデータラインの接続関係を第１水平表示ライン（ＬＩＮＥ＃１）の第１乃至第６液晶セルと、第２水平表示ライン（ＬＩＮＥ＃２）の第１乃至第６液晶セルを例をあげて説明する。
【０１５４】
第１水平表示ライン（ＬＩＮＥ＃１）の第１液晶セルは第１データライン（Ｄ１）から供給されるデータ電圧を充電する。引き継いで、第１水平表示ライン（ＬＩＮＥ＃１）の第２液晶セルは第２データライン（Ｄ２）から供給されるデータ電圧を充電する。第１水平表示ラインの第１ＴＦＴ（Ｔ１１）は第１ゲートライン（Ｇ１）からの第１ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第１ゲートライン（Ｇ１）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第２ゲートライン（Ｇ２）からの第２ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第２ゲートライン（Ｇ２）に接続される。第２ＴＦＴ（Ｔ１２）のドレーン電極は第２データライン（Ｄ２）に接続され、そのソース電極は第２画素電極（ＰＩＸ１２）に接続される。
【０１５５】
第１水平表示ライン（ＬＩＮＥ＃１）の第３液晶セルは第２データライン（Ｄ２）から供給されるデータ電圧を充電する。引き継いで、第１水平表示ライン（ＬＩＮＥ＃１）の第４液晶セルは第３データライン（Ｄ３）から供給されるデータ電圧を充電する。第１水平表示ラインの第３ＴＦＴ（Ｔ１３）は第１ゲートライン（Ｇ１）からの第１ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第１ゲートライン（Ｇ１）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第２ゲートライン（Ｇ２）からの第２ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第２ゲートライン（Ｇ２）に接続される。第４ＴＦＴ（Ｔ１４）のドレーン電極は第３データライン（Ｄ３）に接続され、そのソース電極は第４画素電極（ＰＩＸ１４）に接続される。
【０１５６】
第１水平表示ライン（ＬＩＮＥ＃１）の第６液晶セルは第３データライン（Ｄ３）から供給されるデータ電圧を充電する。引き継いで、第１水平表示ライン（ＬＩＮＥ＃１）の第５液晶セルは第３データライン（Ｄ３）から供給されるデータ電圧を充電する。第１水平表示ラインの第５ＴＦＴ(Ｔ１５)は第２ゲートライン（Ｇ２）からの第２ゲートパルスに応答して第４データライン（Ｄ４）からのデータ電圧を第５画素電極(ＰＩＸ１５)に供給する。第５画素電極(ＰＩＸ１５)は大体１／２水平期間の間データ電圧を充電する。第５ＴＦＴ(Ｔ１５)のゲート電極は第２ゲートライン（Ｇ２）に接続される。第５ＴＦＴ(Ｔ１５)のドレーン電極は第４データライン（Ｄ４）に接続され、そのソース電極は第５画素電極(ＰＩＸ１５)に接続される。第１水平表示ラインの第６ＴＦＴ(Ｔ１６)は第１ゲートライン（Ｇ１）からの第１ゲートパルスに応答して第３データライン（Ｄ３）からのデータ電圧を第６画素電極(ＰＩＸ１６)に供給する。第６画素電極(ＰＩＸ１６)は大体１／２水平期間の間データ電圧を充電する。第６ＴＦＴ(Ｔ１６)のゲート電極は第１ゲートライン（Ｇ１）に接続される。第６ＴＦＴ(Ｔ１６)のドレーン電極は第３データライン（Ｄ３）に接続され、そのソース電極は第６画素電極(ＰＩＸ１６)に接続される。
【０１５７】
第２水平表示ライン（ＬＩＮＥ＃２）の第２液晶セルは第１データライン（Ｄ１）から供給されるデータ電圧を充電する。引き継いで、第２水平表示ライン（ＬＩＮＥ＃２）の第１液晶セルは第２データライン（Ｄ２）から供給されるデータ電圧を充電する。第２水平表示ラインの第１ＴＦＴ（Ｔ２１）は第４ゲートライン（Ｇ４）からの第４ゲートパルスに応答して第２データライン（Ｄ２）からのデータ電圧を第１画素電極（ＰＩＸ２１）に供給する。第１画素電極（ＰＩＸ２１）は大体１／２水平期間の間データ電圧を充電する。 第１ＴＦＴ（Ｔ２１）のゲート電極は第４ゲートライン（Ｇ４）に接続される。第１ＴＦＴ（Ｔ２１）のドレーン電極は第２データライン（Ｄ２）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第１データライン（Ｄ１）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第１データライン（Ｄ１）に接続され、そのソース電極は第２画素電極（ＰＩＸ２２）に接続される。
【０１５８】
第２水平表示ライン（ＬＩＮＥ＃２）の第４液晶セルは第２データライン（Ｄ２）から供給されるデータ電圧を充電する。引き継いで、第２水平表示ライン（ＬＩＮＥ＃２）の第４液晶セルは第３データライン（Ｄ３）から供給されるデータ電圧を充電する。第２水平表示ラインの第３ＴＦＴ（Ｔ２３）は第４ゲートライン（Ｇ４）からの第４ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第４ゲートライン（Ｇ４）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第３ゲートライン（Ｇ３）からの第３ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第３ゲートライン（Ｇ３）に接続される。第４ＴＦＴ（Ｔ２４）のドレーン電極は第２データライン（Ｄ２）に接続され、そのソース電極は第４画素電極（ＰＩＸ２４）に接続される。
【０１５９】
第２水平表示ライン（ＬＩＮＥ＃２）の第５液晶セルは第３データライン（Ｄ３）から供給されるデータ電圧を充電する。引き継いで、第２水平表示ライン（ＬＩＮＥ＃２）の第６液晶セルは第４データライン（Ｄ４）から供給されるデータ電圧を充電する。第２水平表示ラインの第５ＴＦＴ（Ｔ２５）は第３ゲートライン（Ｇ３）からの第３ゲートパルスに応答して第３データライン（Ｄ３）からのデータ電圧を第５画素電極（ＰＩＸ２５）に供給する。第５画素電極（ＰＩＸ２５）は大体１／２水平期間の間データ電圧を充電する。第５ＴＦＴ（Ｔ２５）のゲート電極は第３ゲートライン（Ｇ３）に接続される。第５ＴＦＴ（Ｔ２５）のドレーン電極は第３データライン（Ｄ３）に接続され、そのソース電極は第５画素電極（ＰＩＸ２５）に接続される。第２水平表示ラインの第６ＴＦＴ（Ｔ２６）は第４ゲートライン（Ｇ４）からの第４ゲートパルスに応答して第４データライン（Ｄ４）からのデータ電圧を第６画素電極（ＰＩＸ２６）に供給する。第６画素電極（ＰＩＸ２６）は大体１／２水平期間の間データ電圧を充電する。第６ＴＦＴ（Ｔ２６）のゲート電極は第４ゲートライン（Ｇ４）に接続される。第６ＴＦＴ（Ｔ２６）のドレーン電極は第６ データライン(Ｄ６)に接続され、そのソース電極は第６画素電極（ＰＩＸ２６）に接続される。
【０１６０】
図１５は画素アレイ１０の第１０実施の形態を示す回路図である。
【０１６１】
図１５を参照すれば、画素アレイ１０はデータライン（Ｄ１〜 Ｄｍ＋１）、データライン（Ｄ１〜 Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜 Ｄｍ＋１） の間の電流パスをスイッチングするための ＴＦＴ（Ｔ１１〜Ｔ１６、Ｔ２１〜Ｔ２６）を備える。カラムインバージョン方式で極性が反転されるデータ電圧と、図１５の画素アレイ構造によって液晶セルに充電されるデータ電圧はその極性が水平１ドット及び垂直１ドットインバージョンに反転される。
【０１６２】
ソースドライブＩＣ１２はカラムインバージョン形態に極性が反転されるデータ電圧をデータライン（Ｄ１〜 Ｄｍ＋１）に出力する。ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【０１６３】
第Ｎフレーム期間の間、ソースドライブＩＣ１２は奇数データライン（Ｄ１、Ｄ３．．． Ｄｍ−１、 Ｄｍ＋１）に正極性データ電圧のみを供給し、偶数データライン（Ｄ２、Ｄ４．．． Ｄｍ）に負極性データ電圧のみを供給する。第Ｎ＋１フレーム期間の間、ソースドライブＩＣ１２は奇数データライン（Ｄ１、Ｄ３．．． Ｄｍ−１、 Ｄｍ＋１）に負極性データ電圧のみを供給し、偶数データライン（Ｄ２、Ｄ４．．． Ｄｍ）に正極性データ電圧のみを供給する。
【０１６４】
奇数水平表示ライン（ＬＩＮＥ＃１、ＬＩＮＥ＃３、．．．ＬＩＮＥ＃ｎ−１） それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第２液晶セルは第Ｎフレーム期間の間第ｉデータラインから供給される正極性データ電圧を充電した後、第Ｎ＋１フレーム期間の間第ｉデータラインから供給される負極性データ電圧を充電する。図１５で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【０１６５】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。奇数水平表示ラインの第４液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１５で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。
【０１６６】
奇数水平表示ライン（ＬＩＮＥ＃１、ＬＩＮＥ＃３、．．．ＬＩＮＥ＃ｎ−１）それぞれで第ｉ＋２データラインと第ｉ＋３データラインの間には奇数水平表示ラインの第５及び第６液晶セルが存在する。奇数水平表示ラインの第５液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。奇数水平表示ラインの第６液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。図１５で図面符号‘ＰＩＸ１５’は奇数水平表示ラインの第５液晶セルに形成された第５画素電極であり、‘ＰＩＸ１６’は奇数水平表示ラインの第６液晶セルに形成された第６画素電極である。
【０１６７】
偶数水平表示ライン（ＬＩＮＥ＃２、ＬＩＮＥ＃４、．．．ＬＩＮＥ＃ｎ）それぞれで第ｉデータラインと第ｉ＋１データラインの間には偶数水平ラインの第１及び第２液晶セルが存在する。偶数水平ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。偶数水平ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１５で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１６８】
偶数水平表示ライン（ＬＩＮＥ＃２、ＬＩＮＥ＃４、．．．ＬＩＮＥ＃ｎ）それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１５で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
【０１６９】
偶数水平表示ライン（ＬＩＮＥ＃２、ＬＩＮＥ＃４、．．．ＬＩＮＥ＃ｎ）それぞれで第ｉ＋２データラインと第ｉ＋３データラインの間には偶数水平ラインの第５及び第６液晶セルが存在する。偶数水平ラインの第５液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第６液晶セルは第Ｎフレーム期間の間第ｉ＋３データラインから供給される負極性データ電圧を充電した後、第Ｎ＋１フレーム期間の間第ｉ＋３データラインから供給される正極性データ電圧を充電する。図１５で図面符号‘ＰＩＸ２５’は偶数水平表示ラインの第５液晶セルに形成された第５画素電極であり、‘ＰＩＸ２６’は偶数水平表示ラインの第６液晶セルに形成された第６画素電極である。
【０１７０】
図１５に示されるように、上下で隣合う液晶セルと左右で隣合う液晶セルは互いに相反した極性のデータ電圧を充電する。したがって、図１５の画素アレイの液晶セルは水平１ドット及び垂直１ドットインバージョン形態に反転されるデータ電圧を充電する。
【０１７１】
図１５に示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【０１７２】
第１水平表示ライン（ＬＩＮＥ＃１）の第１液晶セルは第２データライン（Ｄ２）から供給されるデータ電圧を充電する。引き継いで、第１水平表示ライン（ＬＩＮＥ＃１）の第２液晶セルは第１データライン（Ｄ１）から供給されるデータ電圧を充電する。第１水平表示ラインの第１ＴＦＴ（Ｔ１１）は第１ゲートライン（Ｇ１）からの第１ゲートパルスに応答して第２データライン（Ｄ２）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第１ゲートライン（Ｇ１）に接続される。第１ＴＦＴ（Ｔ１１）のドレーン電極は第２データライン（Ｄ２）に接続され、そのソース電極は第１画素電極（ＰＩＸ１１）に接続される。第１水平表示ラインの第２ＴＦＴ（Ｔ１２）は第２ゲートライン（Ｇ２）からの第２ゲートパルスに応答して第１データライン（Ｄ１）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第２ゲートライン（Ｇ２）に接続される。第２ＴＦＴ（Ｔ１２）のドレーン電極は第１データライン（Ｄ１）に接続され、そのソース電極は第２画素電極（ＰＩＸ１２）に接続される。
【０１７３】
第１水平表示ライン（ＬＩＮＥ＃１）の第４液晶セルは第３データライン（Ｄ３）から供給されるデータ電圧を充電する。引き継いで、第１水平表示ライン（ＬＩＮＥ＃１）の第３液晶セルは第２データライン（Ｄ２）から供給されるデータ電圧を充電する。第１水平表示ラインの第３ＴＦＴ（Ｔ１３）は第２ゲートライン（Ｇ２）からの第２ゲートパルスに応答して第２データライン（Ｄ２）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第２データライン（Ｄ２）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第３データライン（Ｄ３）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第３データライン（Ｄ３）に接続され、そのソース電極は第４画素電極（ＰＩＸ１４）に接続される。
【０１７４】
第２水平表示ライン（ＬＩＮＥ＃２）の第２液晶セルは第２データライン（Ｄ２）から供給されるデータ電圧を充電する。引き継いで、第２水平表示ライン（ＬＩＮＥ＃２）の第１液晶セルは第１データライン（Ｄ１）から供給されるデータ電圧を充電する。第２水平表示ラインの第１ＴＦＴ（Ｔ２１）は第４ゲートライン（Ｇ４）からの第４ゲートパルスに応答して第１データライン（Ｄ１）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第４ゲートライン（Ｇ４）に接続される。第１ＴＦＴ（Ｔ２１）のドレーン電極は第１データライン（Ｄ１）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第２データライン（Ｄ２）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第２データライン（Ｄ２）に接続され、そのソース電極は第２画素電極（ＰＩＸ２２）に接続される。
【０１７５】
第２水平表示ライン（ＬＩＮＥ＃２）の第３液晶セルは第３データライン（Ｄ３）から供給されるデータ電圧を充電する。引き継いで、第２水平表示ライン（ＬＩＮＥ＃２）の第４液晶セルは第２データライン（Ｄ２）から供給されるデータ電圧を充電する。第２水平表示ラインの第３ＴＦＴ（Ｔ２３）は第３ゲートライン（Ｇ３）からの第３ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第３ゲートライン（Ｇ３）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第４ゲートライン（Ｇ４）からの第４ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第４ゲートライン（Ｇ４）に接続される。第４ＴＦＴ（Ｔ２４）のドレーン電極は第２データライン（Ｄ２）に接続され、そのソース電極は第４画素電極（ＰＩＸ２４）に接続される。
【０１７６】
図１６は画素アレイ１０の第１１実施の形態を示す回路図である。
【０１７７】
図１６を参照すると、画素アレイ１０はデータライン（Ｄ１〜 Ｄｍ＋１）、データライン（Ｄ１〜 Ｄｍ＋１）と交差されるゲートライン（Ｇ１〜Ｇ２ｎ）、及びゲートパルスに応答して液晶セルの画素電極（ＰＩＸ１１〜ＰＩＸ１６、ＰＩＸ２１〜ＰＩＸ２６）とデータライン（Ｄ１〜 Ｄｍ＋１）の間の電流パスをスイッチングするためのＴＦＴ（Ｔ１１〜Ｔ１６、Ｔ２１〜Ｔ２６）を備える。カラムインバージョン方式で極性が反転されるデータ電圧と、図１６の画素アレイ構造によって液晶セルに充電されるデータ電圧はその極性が水平１ドット及び垂直２ドットインバージョンに反転される。
【０１７８】
ソースドライブＩＣ１２はカラムインバージョン形態に極性が反転されるデータ電圧をデータライン（Ｄ１〜 Ｄｍ＋１）に出力する。 ゲート駆動回路１３は第１乃至２ｎゲートライン（Ｇ１〜Ｇ２ｎ）にゲートパルスを順次に供給する。第１ゲートライン（Ｇ１）に第１ゲートパルスが供給された後に第２乃至第２ｎゲートライン（Ｇ１〜Ｇ２ｎ）に順次に第２乃至第２ｎゲートパルス（Ｇ１〜Ｇ２ｎ）が供給される。
【０１７９】
第Ｎフレーム期間の間、ソースドライブＩＣ１２は奇数データライン（Ｄ１、Ｄ３．．． Ｄｍ−１、 Ｄｍ＋１）に正極性データ電圧のみを供給し、偶数データライン（Ｄ２、Ｄ４．．． Ｄｍ）に負極性データ電圧のみを供給する。 第Ｎ＋１フレーム期間の間、ソースドライブＩＣ１２は奇数データライン（Ｄ１、Ｄ３．．． Ｄｍ−１、 Ｄｍ＋１）に負極性データ電圧のみを供給し、偶数データライン（Ｄ２、Ｄ４．．． Ｄｍ）に正極性データ電圧のみを供給する。
【０１８０】
奇数水平表示ライン（ＬＩＮＥ＃１、ＬＩＮＥ＃３、．．．ＬＩＮＥ＃ｎ−１）それぞれで第ｉデータラインと第ｉ＋１データラインの間には奇数水平表示ラインの第１及び第２液晶セルが存在する。奇数水平表示ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。奇数水平表示ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１６で図面符号‘ＰＩＸ１１’は奇数水平表示ラインの第１液晶セルに形成された第１画素電極であり、‘ＰＩＸ１２’は奇数水平表示ラインの第２液晶セルに形成された第２画素電極である。
【０１８１】
奇数水平表示ライン（ＬＩＮＥ＃１、ＬＩＮＥ＃３、．．．ＬＩＮＥ＃ｎ−１）それぞれで第ｉ＋１データラインと第ｉ＋２データラインの間には奇数水平表示ラインの第３及び第４液晶セルが存在する。奇数水平表示ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。奇数水平表示ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１６で図面符号‘ＰＩＸ１３’は奇数水平表示ラインの第３液晶セルに形成された第３画素電極であり、‘ＰＩＸ１４’は奇数水平表示ラインの第４液晶セルに形成された第４画素電極である。
【０１８２】
偶数水平表示ライン（ＬＩＮＥ＃２、ＬＩＮＥ＃４、．．．ＬＩＮＥ＃ｎ）それぞれで第ｉデータラインと第ｉ＋１データラインの間には偶数水平ラインの第１及び第２液晶セルが存在する。偶数水平ラインの第１液晶セルは第Ｎフレーム期間の間第ｉデータラインから供給される正極性データ電圧を充電した後、第Ｎ＋１フレーム期間の間第ｉデータラインから供給される負極性データ電圧を充電する。偶数水平ラインの第２液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１６で図面符号‘ＰＩＸ２１’は偶数水平表示ラインの第１液晶セルに形成された第１画素電極であり、‘ＰＩＸ２２’は偶数水平表示ラインの第２液晶セルに形成された第２画素電極である。
【０１８３】
偶数水平表示ライン（ＬＩＮＥ＃２、ＬＩＮＥ＃４、．．．ＬＩＮＥ＃ｎ）それぞれで第ｉ＋１データラインと第ｉ＋２データラインの間には偶数水平ラインの第３及び第４液晶セルが存在する。偶数水平ラインの第３液晶セルは第Ｎフレーム期間の間第ｉ＋２データラインから供給される正極性データ電圧を充電した後、第Ｎ＋１フレーム期間の間第ｉ＋２データラインから供給される負極性データ電圧を充電する。偶数水平ラインの第４液晶セルは第Ｎフレーム期間の間第ｉ＋１データラインから供給される負極性データ電圧を充電した後、第Ｎ＋１フレーム期間の間第ｉ＋１データラインから供給される正極性データ電圧を充電する。図１６で図面符号‘ＰＩＸ２３’は偶数水平表示ラインの第３液晶セルに形成された第３画素電極であり、‘ＰＩＸ２４’は偶数水平表示ラインの第４液晶セルに形成された第４画素電極である。
【０１８４】
図１６に示されるように、上下で隣合う液晶セルのデータ極性は２ドット（または液晶セル) 単位に反転され、左右で隣合う液晶セルのデータ極性は１ドット単位に反転される。したがって、図１６の画素アレイの液晶セルは水平１ドット及び垂直２ドットインバージョン形態に反転されるデータ電圧を充電する。
【０１８５】
図１６で示された画素アレイ１０からＴＦＴ、画素電極及びデータラインの接続関係を第１水平表示ライン（ＬＩＮＥ＃１）の第１乃至第４液晶セルと、第２水平表示ライン（ＬＩＮＥ＃２）の第１乃至第４液晶セルを例をあげて説明する。
【０１８６】
第１水平表示ライン（ＬＩＮＥ＃１）の第２液晶セルは第２データライン（Ｄ２）から供給されるデータ電圧を充電する。引き継いで、第１水平表示ライン（ＬＩＮＥ＃１）の第１液晶セルは第１データライン（Ｄ１）から供給されるデータ電圧を充電する。第１水平表示ラインの第１ＴＦＴ（Ｔ１１）は第２ゲートライン（Ｇ２）からの第２ゲートパルスに応答して第１データライン（Ｄ１）からのデータ電圧を第１画素電極（ＰＩＸ１１）に供給する。第１画素電極（ＰＩＸ１１）は大体１／２水平期間の間データ電圧を充電する。第１ＴＦＴ（Ｔ１１）のゲート電極は第２ゲートライン（Ｇ２）に接続される。第１ＴＦＴ（Ｔ１１）のドレーン電極は第１データライン（Ｄ１）に接続され、そのソース電極は第１画素電極（ＰＩＸ１１）に接続される。第１水平表示ラインの第２ＴＦＴ（Ｔ１２）は第１ゲートライン（Ｇ１）からの第１ゲートパルスに応答して第２データライン（Ｄ２）からのデータ電圧を第２画素電極（ＰＩＸ１２）に供給する。第２画素電極（ＰＩＸ１２）は大体１／２水平期間の間データ電圧を充電する。第２ＴＦＴ（Ｔ１２）のゲート電極は第１ゲートライン（Ｇ１）に接続される。第２ＴＦＴ（Ｔ１２）のドレーン電極は第２データライン（Ｄ２）に接続され、そのソース電極は第２画素電極（ＰＩＸ１２）に接続される。
【０１８７】
第１水平表示ライン（ＬＩＮＥ＃１）の第４液晶セルは第２データライン（Ｄ２）から供給されるデータ電圧を充電する。引き継いで、第１水平表示ライン（ＬＩＮＥ＃１）の第３液晶セルは第３データライン（Ｄ３）から供給されるデータ電圧を充電する。第１水平表示ラインの第３ＴＦＴ（Ｔ１３）は第２ゲートライン（Ｇ２）からの第２ゲートパルスに応答して第３データライン（Ｄ３）からのデータ電圧を第３画素電極（ＰＩＸ１３）に供給する。第３画素電極（ＰＩＸ１３）は大体１／２水平期間の間データ電圧を充電する。第３ＴＦＴ（Ｔ１３）のゲート電極は第２ゲートライン（Ｇ２）に接続される。第３ＴＦＴ（Ｔ１３）のドレーン電極は第３データライン（Ｄ３）に接続され、そのソース電極は第３画素電極（ＰＩＸ１３）に接続される。第１水平表示ラインの第４ＴＦＴ（Ｔ１４）は第１ゲートライン（Ｇ１）からの第１ゲートパルスに応答して第２データライン（Ｄ２）からのデータ電圧を第４画素電極（ＰＩＸ１４）に供給する。第４画素電極（ＰＩＸ１４）は大体１／２水平期間の間データ電圧を充電する。第４ＴＦＴ（Ｔ１４）のゲート電極は第１ゲートライン（Ｇ１）に接続される。第４ＴＦＴ（Ｔ１４）のドレーン電極は第２データライン（Ｄ２）に接続され、そのソース電極は第４画素電極（ＰＩＸ１４）に接続される。
【０１８８】
第２水平表示ライン（ＬＩＮＥ＃２）の第２液晶セルは第２データライン（Ｄ２）から供給されるデータ電圧を充電する。引き継いで、第２水平表示ライン（ＬＩＮＥ＃２）の第１液晶セルは第１データライン（Ｄ１）から供給されるデータ電圧を充電する。第２水平表示ラインの第１ＴＦＴ（Ｔ２１）は第４ゲートライン（Ｇ４）からの第４ゲートパルスに応答して第１データライン（Ｄ１）からのデータ電圧を第１画素電極（ＰＩＸ２１）に供給する。第１画素電極（ＰＩＸ２１）は大体１／２水平期間の間データ電圧を充電する。第１ＴＦＴ（Ｔ２１）のゲート電極は第４ゲートライン（Ｇ４）に接続される。第１ＴＦＴ（Ｔ２１）のドレーン電極は第１データライン（Ｄ１）に接続され、そのソース電極は第１画素電極（ＰＩＸ２１）に接続される。第２水平表示ラインの第２ＴＦＴ（Ｔ２２）は第３ゲートライン（Ｇ３）からの第３ゲートパルスに応答して第２データライン（Ｄ２）からのデータ電圧を第２画素電極（ＰＩＸ２２）に供給する。第２画素電極（ＰＩＸ２２）は大体１／２水平期間の間データ電圧を充電する。第２ＴＦＴ（Ｔ２２）のゲート電極は第３ゲートライン（Ｇ３）に接続される。第２ＴＦＴ（Ｔ２２）のドレーン電極は第２データライン（Ｄ２）に接続され、そのソース電極は第２画素電極（ＰＩＸ２２）に接続される。
【０１８９】
第２水平表示ライン（ＬＩＮＥ＃２）の第４液晶セルは第２データライン（Ｄ２）から供給されるデータ電圧を充電する。引き継いで、第２水平表示ライン（ＬＩＮＥ＃２）の第３液晶セルは第３データライン（Ｄ３）から供給されるデータ電圧を充電する。第２水平表示ラインの第３ＴＦＴ（Ｔ２３）は第４ゲートライン（Ｇ４）からの第４ゲートパルスに応答して第３データライン（Ｄ３）からのデータ電圧を第３画素電極（ＰＩＸ２３）に供給する。第３画素電極（ＰＩＸ２３）は大体１／２水平期間の間データ電圧を充電する。第３ＴＦＴ（Ｔ２３）のゲート電極は第４ゲートライン（Ｇ４）に接続される。第３ＴＦＴ（Ｔ２３）のドレーン電極は第３データライン（Ｄ３）に接続され、そのソース電極は第３画素電極（ＰＩＸ２３）に接続される。第２水平表示ラインの第４ＴＦＴ（Ｔ２４）は第３ゲートライン（Ｇ３）からの第３ゲートパルスに応答して第２データライン（Ｄ２）からのデータ電圧を第４画素電極（ＰＩＸ２４）に供給する。第４画素電極（ＰＩＸ２４）は大体１／２水平期間の間データ電圧を充電する。第４ＴＦＴ（Ｔ２４）のゲート電極は第３ゲートライン（Ｇ３）に接続される。第４ＴＦＴ（Ｔ２４）のドレーン電極は第２データライン（Ｄ２）に接続され、そのソース電極は第４画素電極（ＰＩＸ２４）に接続される。
【符号の説明】
【０１９０】
１０  画素アレイ
１１  タイミングコントローラ  
１２  ソースドライブＩＣ
１３  ゲート駆動回路
１４  ソース ＰＣＢ(Prｉnted Cｉrcuｉt Board)
１５ ＴＣＰ(Tape Carrｉer Package)
１６  コントロールＰＣＢ
１７  軟性回路基板
【図１】
2011118398.tif 000003
【図２】
2011118398.tif 000004
【図３】
2011118398.tif 000005
【図４】
2011118398.tif 000006
【図５】
2011118398.tif 000007
【図６】
2011118398.tif 000008
【図７】
2011118398.tif 000009
【図８】
2011118398.tif 000010
【図９】
2011118398.tif 000011
【図１０】
2011118398.tif 000012
【図１１】
2011118398.tif 000013
【図１２】
2011118398.tif 000014
【図１３】
2011118398.tif 000015
【図１４】
2011118398.tif 000016
【図１５】
2011118398.tif 000017
【図１６】
2011118398.tif 000018